(57)【要約】  交換レンズは、ズームレンズと、ズームレンズを駆動させる駆動部と、ズームレンズの倍率を変更するためのユーザによる操作を受け付ける操作部と、操作部の操作に応じて駆動部を制御する制御部とを備える。制御部は、ズームレンズを操作部の操作に応じた任意の位置に停止可能な第一の動作モードと、ズームレンズを操作部の操作に応じて離散的な所定の停止位置に停止可能な第二の動作モードのうちのいずれかの動作モードで駆動部を制御する。
2012131794.tif 000002
【特許請求の範囲】
【請求項１】
カメラボディに装着可能な交換レンズであって、
ズームレンズと、
前記ズームレンズを駆動させる駆動部と、
前記ズームレンズの倍率を変更するためのユーザによる操作を受け付ける操作部と、
前記操作部の操作に応じて前記駆動部を制御する制御部と、を備え、
前記制御部は、前記ズームレンズを前記操作部の操作に応じた任意の位置に停止可能な第一の動作モードと、前記ズームレンズを前記操作部の操作に応じて離散的な所定の停止位置に停止可能な第二の動作モードのうちのいずれかの動作モードで前記駆動部を制御する、交換レンズ。
【請求項２】
前記制御部は、前記カメラボディからの指示にしたがい、前記動作モードを、前記第一の動作モードまたは前記第二の動作モードに設定する、請求項１記載の交換レンズ。
【請求項３】
前記所定の停止位置に関する情報を予め格納する記憶部をさらに備えた、請求項１記載の交換レンズ。
【請求項４】
前記記憶部に予め格納されている前記所定の停止位置に関する情報を前記カメラボディに送信する通信部をさらに備えた、請求項３記載の交換レンズ。
【請求項５】
前記ズームレンズが実際に停止した位置に関する情報を前記カメラボディに送信する通信部をさらに備えた、請求項１記載の交換レンズ。
【請求項６】
前記制御部は、前記第二の動作モードにおける前記所定の停止位置に前記ズームレンズを実際に停止することができない場合、前記カメラボディに、前記ズームレンズを前記所定の停止位置に停止できないことを示す情報を送信する、請求項５記載の交換レンズ。
【請求項７】
前記制御部は、前記第二の動作モードにおける所定の停止位置に前記ズームレンズを停止することができない場合、前記カメラボディに、前記ズームレンズの実際の停止位置に関する情報を送信する、請求項５記載の交換レンズ。
【請求項８】
前記所定の停止位置に関する情報を前記カメラボディから受信する通信部をさらに備えた、請求項１記載の交換レンズ。
【請求項９】
離散的な所定の停止位置に停止可能なズームレンズを備えた交換レンズを装着可能なカメラボディであって、
少なくとも１つの交換レンズに対する前記所定の停止位置に関する情報を格納する記憶部と、
装着された交換レンズから、その交換レンズの特性情報を取得し、取得した特性情報に基づいて、前記記憶部に格納された情報の中から前記装着された交換レンズについての所定の停止位置に関する情報を求める制御部と、
その求めた停止位置に関する情報を前記交換レンズに送信する通信部と、
を備えた、カメラボディ。
【発明の詳細な説明】
【技術分野】
【０００１】
本発明は、電動ズームレンズを備えた交換レンズ、及びその交換レンズを装着可能なカメラボディに関する。
【背景技術】
【０００２】
従来の交換レンズユニットは、フォーカスレンズやズームレンズ等の光学系を機械的に駆動する機構を採用している。これに対して、近年、光学系をモータなどの電動アクチュエータにより駆動する交換レンズユニットが提案されている（例えば、特許文献１参照）。【０００３】
一方、レンズ内蔵型カメラには、所定の変倍率で撮影できるように、予め決められているズーム焦点距離に設定可能なステップズーム機能が搭載されているものがある（例えば、特許文献２参照）。
【先行技術文献】
【特許文献】
【０００４】
【特許文献１】国際公開第２００９／０４１０６３号パンフレット
【特許文献２】特開平２−６８５０７号公報
【発明の概要】
【発明が解決しようとする課題】
【０００５】
レンズ交換式のカメラにおいて、ズームの変倍率を特定の値に設定するとき、使用者は、ファインダー等により画角を確認しながら、経験と感覚で、ズームの変倍率を設定する場合や、ズーム駆動リングに表記されている焦点距離の指標に合わせてズームの変倍率を設定する場合がある。この場合、再度同じ変倍率を設定するのに時間がかかったり、正確性に欠けることがあった。よって、従来のレンズ交換式のカメラにおいては、使用者にとって、変倍率の設定の使い勝手が良くなかった。【０００６】
本発明は、上記課題を鑑みてなされたものであり、カメラの使用者にとって使い勝手の良い変倍率設定が可能な交換レンズ、及びその交換レンズを装着可能なカメラボディを提供することを目的とする。
【課題を解決するための手段】
【０００７】
本発明の第１の態様において、カメラボディに装着可能な交換レンズが提供される。交換レンズは、ズームレンズと、ズームレンズを駆動させる駆動部と、ズームレンズの倍率を変更するためのユーザによる操作を受け付ける操作部と、操作部の操作に応じて駆動部を制御する制御部と、を備える。制御部は、ズームレンズを操作部の操作に応じた任意の位置に停止可能な第一の動作モードと、ズームレンズを操作部の操作に応じて離散的な所定の停止位置に停止可能な第二の動作モードのうちのいずれかの動作モードで駆動部を制御する。【０００８】
本発明の第２の態様において、離散的な所定の停止位置に停止可能なズームレンズを備えた交換レンズを装着可能なカメラボディが提供される。カメラボディは、少なくとも１つの交換レンズに対する所定の停止位置に関する情報を格納する記憶部と、装着された交換レンズから、その交換レンズの特性情報を取得し、取得した特性情報に基づいて、記憶部に格納された情報の中から、装着された交換レンズについての所定の停止位置に関する情報を求める制御部と、その求めた停止位置に関する情報を交換レンズに送信する通信部と、を備える。
【発明の効果】
【０００９】
本発明によれば、連続的なズーム動作（第一のズーム動作モード）と段階的（離散的）なズーム動作（第二のズーム動作モード）との両方で変倍率を設定可能にしている。段階的なズーム動作では、予め決められた所望の位置に迅速に且つ正確にズームレンズを停止させることができる。よって、使用者にとって使い勝手の良い変倍率設定が可能な交換レンズ、及びその交換レンズを装着可能なカメラボディを実現することができる。
【図面の簡単な説明】
【００１０】
【図１】本発明の実施の形態１のデジタルカメラの外観図
【図２】本発明の実施の形態１のデジタルカメラの背面図
【図３】本発明の実施の形態１のデジタルカメラの電気的構成図
【図４】本発明の実施の形態１におけるズーム動作モードのイメージ図
【図５】本発明の実施の形態１にけるカメラボディの表示部の表示例を示す図であって、（ａ）は通常状態の表示例、（ｂ）は通常ズーム動作モード時の表示例、（ｃ）はステップズーム動作モード時の表示例を示す図
【図６】本発明の実施の形態１のデジタルカメラの初期動作のフローチャート
【図７】本発明の実施の形態１のデジタルカメラの通常ズーム動作モード時のズーム動作を示すフローチャート
【図８】本発明の実施の形態１のデジタルカメラのステップズーム動作モード時のズーム動作を示すフローチャート
【図９】本発明の実施の形態１のデジタルカメラのステップズーム動作モードから通常ズーム動作モードへの切り替えの動作を示すフローチャート
【発明を実施するための形態】
【００１１】
以下、添付の図面を参照して、本発明の実施形態を説明する。
【００１２】
実施の形態１
本発明の実施の形態１のデジタルカメラは、ズームレンズを電動で駆動し、連続的なズーム動作と段階的（離散的）なズーム動作とを実行可能な交換レンズを備える。デジタルカメラは、段階的なズーム動作では、使用者による操作リングの操作に応じて、迅速に且つ正確にズームレンズを予め決められた所望の位置に停止する。これにより、使用者にとって使い勝手の良い変倍率設定を可能にする。
【００１３】
１．構成
１−１．デジタルカメラの全体構成
実施の形態１にかかるデジタルカメラの構成の概要について説明する。
【００１４】
図１に、実施の形態１のデジタルカメラの外観図を示す。図１に示すように、デジタルカメラ１００は、電動交換レンズ１０１と、電動交換レンズ１０１を装着可能なカメラボディ１０２とを有する。電動交換レンズ１０１は、操作リング１１５を備えている。操作リング１１５は、使用者により操作されると電動交換レンズ１０１のズームレンズの制御を行う。カメラボディ１０２は、レリーズ釦１６０を備えている。カメラボディ１０２は、使用者によるレリーズ釦１６０の操作を受け付けると、装着された電動交換レンズ１０１に対して、オートフォーカス動作を実行させるように制御信号を通知したり、電動交換レンズ１０１を介して形成される被写体像の撮影動作を実行したりする。
【００１５】
図２に、デジタルカメラ１００のカメラボディ１０２の背面図を示す。カメラボディ１０２は、背面部に、液晶モニタ１６３、タッチパネル１６２、及びカメラ側操作部１７０（中央釦２０４および十字釦２０５を含む）等を備えている。カメラボディ１０２は、使用者によるタッチパネル１６２やカメラ側操作部１７０の操作を受け付けて、受け付けた操作内容に従った各種制御を行う。
【００１６】
図３に、デジタルカメラ１００（電動交換レンズ１０１およびカメラボディ１０２）の電気的構成図を示す。電動交換レンズ１０１は、レンズコントローラ１２０、レンズマウント１３０、フォーカスレンズ１１０およびズームレンズ１１２を含む光学系、フォーカスレンズ駆動部１１１、ズームレンズ駆動部１１３、絞り１１６、絞り駆動部１１７、操作リング１１５、ＤＲＡＭ１２１、及びフラッシュメモリ１２２を備えている。カメラボディ１０２は、カメラコントローラ１５３、ボディマウント１４０、ＣＭＯＳイメージセンサ１５０、タイミングジェネレータ（ＴＧ）１５１、アナログフロントエンド（ＡＦＥ）１５２、液晶モニタ１６３、タッチパネル１６２、レリーズ釦１６０、カメラ側操作部１７０、電源１５４、ＤＲＡＭ１５５、フラッシュメモリ１５６、カードスロット１６５、及びメモリカード１６４を備えている。
【００１７】
１−２．電動交換レンズの構成
電動交換レンズ１０１の各部について説明する。
【００１８】
レンズコントローラ１２０は、電動交換レンズ１０１全体の動作を制御する。レンズコントローラ１２０は、使用者による操作リング１１５の操作を受け付けて、ズームレンズ１１２を駆動させるよう、ズームレンズ駆動部１１３を制御する。レンズコントローラ１２０は、ＤＲＡＭ１２１やフラッシュメモリ１２２に接続され、これらのメモリに対して、必要に応じて情報を書き込んだり、読み出したりすることができる。また、レンズコントローラ１２０は、レンズマウント１３０を介して、カメラコントローラ１５３と通信することができる。レンズコントローラ１２０は、ハードワイヤードな電子回路で構成してもよいし、プログラムを用いたマイクロコンピュータなどで構成してもよい。
【００１９】
レンズマウント１３０は、カメラボディ１０２に設けられたボディマウント１４０と相俟って、電動交換レンズ１０１とカメラボディ１０２とを機械的および電気的に接続するための接続部材である。電動交換レンズ１０１とカメラボディ１０２とが機械的および電気的に接続されると、レンズコントローラ１２０とカメラコントローラ１５３とは通信可能な状態になる。
【００２０】
ＤＲＡＭ１２１は、レンズコントローラ１２０による各種制御の際のワークメモリとして使用される。また、フラッシュメモリ１２２は、レンズコントローラ１２０による各種制御の際に使用されるプログラム、パラメータ、及びレンズデータ等を格納している。
【００２１】
フォーカスレンズ１１０は、電動交換レンズ１０１の光学系に入射され、ＣＭＯＳイメージセンサ１５０上に形成される被写体像のフォーカス状態を変化させるためのレンズである。フォーカスレンズ１１０のレンズ構成は何枚でも何群でもよい。フォーカスレンズ駆動部１１１は、レンズコントローラ１２０から通知される制御信号に基づいてフォーカスレンズ１１０を光学系の光軸に沿って進退するように駆動する。フォーカスレンズ駆動部１１１は、例えば、ステッピングモータ、ＤＣモータ、又は超音波モータなどにより実現できる。
【００２２】
ズームレンズ１１２は、電動交換レンズ１０１の光学系で形成される被写体像の倍率を変化させるためのレンズである。ズームレンズ１１２のレンズ構成は何枚でも何群でもよい。ズームレンズ駆動部１１３は、レンズコントローラ１２０から通知される制御信号に基づいてズームレンズ１１２を光学系の光軸に沿って進退するように電動で駆動する。ズームレンズ駆動部１１３は、例えば、ステッピングモータ、ＤＣモータ、又は超音波モータなどにより実現できる。
【００２３】
絞り１１６は、開閉可能な複数の機械羽根により構成されている。絞り１１６は、電動交換レンズ１０１の光学系に入射する光の量を調節するための部材である。絞り駆動部１１７は、レンズコントローラ１２０から通知される制御信号に基づいて、絞り１１６の機械羽根の開閉状態を変化させる。絞り駆動部１１７は、例えば、ステッピングモータ、ＤＣモータ、又は超音波モータなどにより実現できる。
【００２４】
操作リング１１５は、電動交換レンズ１０１の外面に備えられた操作部材である。操作リング１１５は、電動交換レンズ１０１に対して相対的に回転するように構成されている。操作リング１１５の回転位置及び回転速度は検出部（図示せず）により検出されて、レンズコントローラ１２０に通知される。レンズコントローラ１２０は、通知された操作リング１１５の回転位置及び回転速度に基づいて、ズームレンズ駆動部１１３に対して駆動制御信号を供給する。すなわち、レンズコントローラ１２０は、使用者による操作リング１１５の操作に基づいてズームレンズ１１２を駆動させるよう、ズームレンズ駆動部１１３に駆動制御信号を供給する。
【００２５】
１−３．カメラボディの構成
カメラボディ１０２の各部について説明する。
【００２６】
カメラコントローラ１５３は、レリーズ釦１６０やカメラ側操作部１７０からの指示に応じて、ＣＭＯＳイメージセンサ１５０を含むデジタルカメラ１００全体の動作を制御する。カメラコントローラ１５３は、垂直同期信号をタイミングジェネレータ（ＴＧ）１５１に通知する。これと並行して、カメラコントローラ１５３は、垂直同期信号に基づいて露光同期信号を生成する。カメラコントローラ１５３は、生成した露光同期信号を、ボディマウント１４０及びレンズマウント１３０を介して、レンズコントローラ１２０に周期的に繰り返し通知する。カメラコントローラ１５３は、ＤＲＡＭ１５５及びフラッシュメモリ１５６に接続されており、これらのメモリに対して必要に応じて、情報を書き込んだり、読み出したりする。カメラコントローラ１５３は、ハードワイヤードな電子回路で構成してもよいし、プログラムを用いたマイクロコンピュータなどで構成してもよい。
【００２７】
ＤＲＡＭ１５５は、カメラコントローラ１５３による各種制御の際のワークメモリとして使用される。また、フラッシュメモリ１５６は、カメラコントローラ１５３による各種制御の際に使用されるプログラム及びパラメータ等を格納している。
【００２８】
ＣＭＯＳイメージセンサ１５０は、電動交換レンズ１０１を介して入射される被写体像を撮像して画像情報を生成する。生成された画像情報は、ＡＦＥ１５２でアナログ形式のデータからデジタル形式のデータに変換される。ＡＦＥ１５２でデジタル化された画像情報は、カメラコントローラ１５３で各種の画像処理が施される。ここで言う各種の画像処理とは、例えば、ガンマ補正処理、ホワイトバランス補正処理、キズ補正処理、ＹＣ変換処理、電子ズーム処理、ＪＰＥＧ圧縮処理等であるが、これらに限定されるものではない。ＣＭＯＳイメージセンサ１５０に代えて、例えば、ＮＭＯＳイメージセンサ又はＣＣＤイメージセンサなどの他の撮像素子を用いても良い。
【００２９】
ＣＭＯＳイメージセンサ１５０は、ＴＧ１５１で制御されるタイミングで動作する。ＴＧ１５１で制御されるＣＭＯＳイメージセンサ１５０の動作は、静止画像の撮像動作、スルー画像の撮像動作、データ転送動作、及び電子シャッタ動作を含む。スルー画像は主に動画像であり、使用者が静止画像の撮像のための構図を決めるために液晶モニタ１６３に表示されるものである。
【００３０】
液晶モニタ１６３は、カメラボディ１０２の背面に配置され、カメラコントローラ１５３で処理された表示用の画像情報が示す画像を表示する。液晶モニタ１６３は、動画像と静止画とを選択的に表示可能である。また、液晶モニタ１６３は、画像の他、デジタルカメラ１００全体の設定条件等を表示可能である。本実施の形態では、表示手段の一例として液晶モニタ１６３を示すが、本発明はこれに限らない。例えば、有機ＥＬディスプレイ等の表示手段を用いてもよい。
【００３１】
タッチパネル１６２は、液晶モニタ１６３の表面に設けられており、使用者がタッチしたタッチパネル上の電極位置に関する情報を生成する。タッチパネル１６２は、電極位置に関する情報に基づいて、使用者がタッチしたタッチパネル上の位置座標を算出して、カメラコントローラ１５３に通知する。
【００３２】
ボディマウント１４０は、電動交換レンズ１０１が備えるレンズマウント１３０と相俟って、電動交換レンズ１０１とカメラボディ１０２とを機械的及び電気的に接続するための接続部材である。電動交換レンズ１０１とカメラボディ１０２とが機械的および電気的に接続されると、レンズコントローラ１２０とカメラコントローラ１５３とは、通信可能な状態となる。ボディマウント１４０は、カメラコントローラ１５３から受信した露光同期信号及びその他の制御信号を、レンズマウント１３０を介して、レンズコントローラ１２０に送信する。また、ボディマウント１４０は、レンズマウント１３０を介して、レンズコントローラ１２０から受信した信号をカメラコントローラ１５３に送信する。
【００３３】
電源１５４は、デジタルカメラ１００を駆動するための電力を供給する。電源１５４は、例えば、乾電池であってもよいし、充電池であってもよい。また、電源１５４は、電源コードにより外部から供給される電力をデジタルカメラ１００に供給するものであってもよい。電源１５４がＯＮされると、カメラコントローラ１５３は、カメラボディ１０２全体に電力を供給し、同時に、ボディマウント１４０およびレンズマウント１３０を介して、電動交換レンズ１０１に電力を供給する。レンズコントローラ１２０は、電動交換レンズ１０１全体に電力を供給する。
【００３４】
カードスロット１６５は、メモリカード１６４を装着可能な接続手段である。カードスロット１６５は、メモリカード１６４を電気的及び機械的に接続可能である。カードスロット１６５は、メモリカード１６４を制御する機能を備えてもよい。
【００３５】
メモリカード１６４は、内部にフラッシュメモリ等の記憶手段を備えた外部メモリである。メモリカード１６４は、カメラコントローラ１５３で処理された画像情報等のデータを記憶可能である。また、メモリカード１６４は、内部に記憶する画像情報等のデータを出力可能である。メモリカード１６４から出力された画像情報は、カメラコントローラ１５３で処理され、例えば液晶モニタ１６３で再生表示される。
【００３６】
レリーズ釦１６０は、使用者の操作を受け付ける。レリーズ釦１６０は、半押しと全押しの二段階操作が可能である。使用者によりレリーズ釦１６０が半押し操作されることにより、カメラコントローラ１５３はオートフォーカス動作を実行する。また、使用者によりレリーズ釦１６０が全押し操作されると、カメラコントローラ１５３はこの全押し操作のタイミングに応じて生成された画像情報をメモリカード１６４に記憶する。
【００３７】
カメラ側操作部１７０は、上述した中央釦２０４及び十字釦２０５を含む操作部材の総称である。カメラ側操作部１７０は、ＭＦ（マニュアルフォーカス）／ＡＦ（オートフォーカス）を切り替えるスイッチを含む。カメラ側操作部１７０が使用者による操作を受け付けると、カメラコントローラ１５３は、操作指示内容に応じた各種制御を実行する。
【００３８】
１−４．ズーム動作モード
電動交換レンズ１０１のズーム動作モードについて説明する。図４は、本実施の形態におけるズーム動作モードを説明するための図である。本実施の形態のズーム動作モードは、通常ズーム動作モード（第一のズーム動作モード）と、ステップズーム動作モード（第二のズーム動作モード）とを含む。通常ズーム動作モードは、図４の実線で示すように、使用者による電動交換レンズ１０１の操作リング１１５の操作に応じた位置（連続的に変化する位置）にズームレンズ１１２を移動させるモードである。ステップズーム動作モードは、図４の破線で示すように、使用者による電動交換レンズ１０１の操作リング１１５の操作に応じた離散的な位置（図４のＡ〜Ｅ）にズームレンズ１１２を移動させるモードである。ステップズーム動作モードにおいて停止可能な離散的な位置（図４のＡ〜Ｅ）に関する情報は、電動交換レンズ１０１のフラッシュメモリ１２２に予め記憶されている。
【００３９】
通常ズーム動作モードにおいては、電動交換レンズ１０１は、使用者が操作リング１１５の操作を停止するとすぐにズームレンズ１１２の駆動を停止する。これにより、操作リング１１５の操作に応じた連続的な位置にズームレンズ１１２が停止可能になる。一方、ステップズーム動作モードにおいては、電動交換レンズ１０１は、使用者が操作リング１１５の操作を停止すると、実際のズームレンズ１１２の停止位置に対して、予め決められた停止位置群の中のズームレンズ１１２の進行方向において最も近い停止位置まで、ズームレンズ１１２を駆動させた後、駆動を停止する。この場合、操作リング１１５の操作に応じた離散的な位置にズームレンズ１１２が停止可能となる。ステップズーム動作モードによれば、使用者は迅速、正確かつ容易にズームレンズ１１２を所定の焦点距離に移動させることが可能となり、この点において通常ズーム動作モードと比較して利点がある。
【００４０】
使用者は、カメラボディ１０２の液晶モニタ１６３に表示されるメニュー画面上でタッチパネル１６２を操作することで、ズーム動作モードを、通常ズーム動作モードとステップズーム動作モードのいずれかに設定できる。ズーム動作モードの設定情報は、カメラボディ１０２のフラッシュメモリ１５６に記憶されており、カメラコントローラ１５３によって更新される。本実施の形態においては、デフォルト値として、ズーム動作モードは通常ズーム動作モードに設定されている。使用者によりズーム動作モードが変更されると、変更毎に、変更後のズーム動作モードの設定情報がカメラボディ１０２のフラッシュメモリ１５６に記憶される。本実施の形態において、カメラボディ１０２のフラッシュメモリ１５６に記憶されるズーム動作モードの設定情報は、装着される交換レンズの種類に関係なく、一つだけ記憶される。すなわち、使用者がズーム動作モードを変更するまではデフォルトの「通常ズーム動作モード」が記憶され、使用者がズーム動作モードを新たに設定した後は使用者により設定されたズーム動作モードを示す設定情報が記憶される。
【００４１】
図５（ａ）〜（ｃ）は、カメラボディ１０２の液晶モニタ１６３上での表示例を示した図である。図５（ａ）は、カメラボディ１０２の液晶モニタ１６３の通常の表示状態を示した図である。すなわち、図５（ａ）はズームレンズ１１２が駆動されていないときの表示を示す。電動交換レンズ１０１の操作リング１１５が使用者によって操作されると、レンズコントローラ１２０はズームレンズ駆動部１１３に駆動制御信号を供給して、ズームレンズ１１２を動かすと同時に、レンズマウント１３０を介して、カメラボディ１０２に操作リング１１５が操作されたことを示す情報を送信する。カメラボディ１０２は、電動交換レンズ１０１の操作リング１１５が操作されたことを示す情報を、ボディマウント１４０を通じて、カメラコントローラ１５３で受信する。カメラコントローラ１５３は、液晶モニタ１６３の表示を図５（ａ）の表示から、レンズのズーム動作モードに応じて図５（ｂ）または図５（ｃ）の表示に変更する。
【００４２】
図５（ｂ）は、通常ズーム動作モード（第一のズーム動作モード）時の表示例を示す図である。図５（ｂ）では、現在設定されている電動ズームの倍率を使用者が認識できるように、焦点距離の目盛り３０１と現在のズーム焦点距離を示す指標３０３を含むズーム焦点距離情報表示３００が表示されている。通常ズーム動作モード時、レンズコントローラ１２０は、電動交換レンズ１０１のズームレンズ１１２が駆動されているときに、操作リング１１５の操作が停止されたことを検出すると、ズームレンズ駆動部１１３への制御信号の供給を直ちに停止する。これにより、デジタルカメラ１００の使用者は、操作リング１１５の操作によって、ズームレンズ１１２の変倍率を所望の変倍率に設定することができる。図５（ｂ）の例では、１４ミリ〜４５ミリの中から所望の焦点距離（例えば、１９ミリ）に設定できる。
【００４３】
一方、図５（ｃ）は、ステップズーム動作モード（第二のズーム動作モード）時の表示例を示す図である。図５（ｃ）では、現在設定されている電動ズームの倍率を使用者が認識できるように、焦点距離の目盛り３１１と現在のズーム焦点距離を示す指標３１３を含むズーム焦点距離情報表示３１０が表示されている。ステップズーム動作モード時、レンズコントローラ１２０は、電動交換レンズ１０１のズームレンズ１１２の駆動途中に操作リング１１５の操作が停止されたことを検出すると、予め決められたズームレンズの停止位置群の中から、実際のズームレンズ１１２の停止位置に対してズームレンズ１１２の進行方向で最も近い停止位置を決定する。そして、レンズコントローラ１２０は、ズームレンズ１１２を、決定した停止位置まで駆動し、その後、ズームレンズ駆動部１１３への制御信号の供給を停止する。これにより、デジタルカメラの使用者は、予め決められた複数の焦点距離（変倍率）のうちの１つに焦点距離を設定することができる。図５（ｃ）の例では、１４ミリ、１８ミリ、２５ミリ、３５ミリ、及び４５ミリのいずれか（例えば、２５ミリ）に焦点距離（変倍率）を設定できる。
【００４４】
２．動作
２−１．概要
実施の形態１にかかるデジタルカメラ１００の動作の概要について説明する。電動交換レンズ１０１がカメラボディ１０２に装着された状態で、使用者がカメラボディ１０２の電源スイッチ（図示せず）を操作することにより、カメラボディ１０２の電源１５４がＯＮ状態に切り換えられると、電力供給とともに各種初期設定がなされる。
【００４５】
カメラボディ１０２は、フラッシュメモリ１５６に記憶されているズーム動作モードの設定情報に基づいて、電動交換レンズ１０１にズーム動作モードの情報を送信する。フラッシュメモリ１５６には、前回の電源ＯＦＦ時にカメラボディ１０２に設定されていたズーム動作モードを示す設定情報が格納されている。カメラボディ１０２に装着された電動交換レンズ１０１は、カメラボディ１０２から取得した設定情報の内容に応じて、ズーム動作モードを通常ズーム動作モードとステップズーム動作モードのいずれかに設定する。
【００４６】
デジタルカメラ１００の使用者は、カメラボディ１０２上での操作により、電動交換レンズ１０１のズーム動作モードを設定することが可能である。使用者のカメラボディ１０２上での操作によりズーム動作モードの切替え設定が行われると、カメラボディ１０２はズーム動作モード切替え情報を電動交換レンズ１０１に送信する。電動交換レンズ１０１は、カメラボディ１０２からの情報に応じて、ズーム動作モードを切り替える。
【００４７】
以下、電動交換レンズ１０１とカメラボディ１０２の初期動作とズーム動作について、詳細を説明する。
【００４８】
２−２．電動交換レンズをカメラボディに装着した時の初期動作
電動交換レンズ１０１をカメラボディ１０２に装着した時の初期動作について図６を用いて説明する。図６は、デジタルカメラ１００の撮像準備のための初期動作のシーケンスを示す図である。
【００４９】
電動交換レンズ１０１がカメラボディ１０２に装着された状態で、使用者がカメラボディ１０２の電源１５４をＯＮにすると（Ｓ３００）、電源１５４は、ボディマウント１４０及びレンズマウント１３０を介して、電動交換レンズ１０１に電力を供給する（Ｓ３０１）。これにより、電動交換レンズ１０１の各部に電力が供給される（Ｓ３０２）。
【００５０】
次に、カメラコントローラ１５３は、レンズコントローラ１２０に対して、電動交換レンズ１０１の認証情報を要求する（Ｓ３０３）。電動交換レンズ１０１の認証情報には、どのような交換レンズが装着されたか（例えば、電動交換レンズ１０１が装着されているか否か）に関する情報、及び電動交換レンズ１０１にアクセサリが装着されているか否かに関する情報が含まれる。レンズコントローラ１２０は、カメラコントローラ１５３からのレンズ認証要求に応答する（Ｓ３０４）。これにより、カメラコントローラ１５３は、レンズ認証を完了させて、カメラボディ１０２に電動交換レンズ１０１が装着されているか否か、または、テレコンバータレンズやワイドコンバータレンズ等のアクセサリが電動交換レンズ１０１に装着されているか否かを把握することができる（Ｓ３０５）。
【００５１】
次に、カメラコントローラ１５３は、レンズコントローラ１２０に対して、初期化動作を実施するよう要求する（Ｓ３０６）。これを受けて、レンズコントローラ１２０は、フォーカスレンズ１１０のリセット、ズームレンズ１１２のリセット、絞り１１６のリセット等の初期化動作を行う（Ｓ３０７）。その後、レンズコントローラ１２０は、カメラコントローラ１５３に対して、レンズ初期化動作が完了した旨を応答する（Ｓ３０８）。これにより、カメラコントローラ１５３は、電動交換レンズ１０１が初期化されたことを把握することができる（Ｓ３０９）。
【００５２】
次に、カメラコントローラ１５３は、レンズコントローラ１２０に対して、レンズデータを要求する（Ｓ３１０）。レンズデータは、電動交換レンズ１０１のフラッシュメモリ１２２に格納されている。カメラコントローラ１５３からのレンズデータ要求を受けて、レンズコントローラ１２０は、フラッシュメモリ１２２からレンズデータを読み出す（Ｓ３１１）。レンズコントローラ１２０は、読み出したレンズデータを、カメラコントローラ１５３に送信する（Ｓ３１２）。
【００５３】
ここで、レンズデータは、レンズ名称、Ｆナンバー、ズーム制御可能範囲、フォーカス制御可能範囲、操作部材に関する情報などの電動交換レンズ１０１に特有の特性値の情報を含む。また、レンズデータは、電動ズームの有無に関する情報と、電動ズーム動作時におけるズーム動作モードに関する情報とを含む。電動ズームの有無に関する情報とは、交換レンズにおいて、ズームレンズ１１２が使用者の操作に機械的に連動して駆動されるのではなく、ズームレンズ駆動部１１３によって電動で駆動されるか否かを示す情報である。ズーム動作モードに関する情報は、ステップズーム動作モードに対応しているか否かを示す情報を含む。カメラコントローラ１５３は、レンズコントローラ１２０から取得した電動ズームの有無に関する情報及びズーム動作モードに関する情報を参照することにより、装着された交換レンズ１０１がズームレンズを電動で駆動可能か否か及びステップズーム動作モードに対応しているか否か等を把握することができる。カメラボディ１０２が電動ズームに対応していれば、カメラコントローラ１５３は、電動ズームに関する種々の制御を実行することができる。また、カメラボディ１０２が、電動交換レンズ１０１のズーム動作モードに対応していれば、カメラコントローラ１５３は、そのズーム動作モードに応じた制御を行うことができる。
【００５４】
特に、レンズコントローラ１２０は、初期動作時に、ステップズーム動作モードにおいてズームレンズ１１２を停止可能な１つ又は複数の位置（焦点距離）をフラッシュメモリ１２２から読み出し、レンズデータに含めて、カメラコントローラ１５３に送信している。よって、カメラコントローラ１５３は、レンズデータを参照することで、液晶モニタ１６３に表示される、図５（ｂ）、（ｃ）に示すようなズーム焦点距離情報表示３００、３１０における目盛りの設定等を行うことができる。
【００５５】
以上のようにして、カメラコントローラ１５３は、装着された電動交換レンズ１０１のレンズデータ取得を完了する（Ｓ３１３）。カメラコントローラ１５３は、取得したレンズデータから、装着されたレンズが電動ズーム対応でかつステップズーム動作モードに対応していると認識した場合、フラッシュメモリ１５６に記憶されている、前回デジタルカメラ１００を使用した使用者が設定したズーム動作モードを読み出し（Ｓ３１４）、電動交換レンズ１０１に読み出したズーム動作モードの設定を通知する（Ｓ３１５）。図６は、通常ズーム動作モード（前回に設定されていたモード）を通知する例を示している。電動交換レンズ１０１はカメラボディ１０２からのズーム動作モード設定通知を受けて、その指示に従ったズーム動作モードに遷移する（Ｓ３１６）。図６の例では、通常ズーム動作モードに遷移した場合を示している。
【００５６】
カメラボディ１０２が、カメラボディ１０２に装着されている電動交換レンズ１０１のレンズデータを把握し（Ｓ３１３）、かつ電動交換レンズ１０１のズーム動作モードの設定が完了する（Ｓ３１６）と、撮像可能な状態になる。
【００５７】
この状態で、カメラコントローラ１５３は、レンズコントローラ１２０に対して、電動交換レンズ１０１の状態を示すレンズ状態データを要求する（Ｓ３１７）。レンズ状態データは、例えば、ズームレンズ１１２によるズーム焦点距離情報（ズーム倍率情報）、フォーカスレンズ１１０の位置情報、絞り１１６の絞り値情報、および操作リング１１５の操作に関するリング操作情報などを含む。この要求に応答して、レンズコントローラ１２０は、カメラコントローラ１５３に対して、要求されたレンズ状態データを送信する（Ｓ３１８）。操作リング１１５が操作されたときは、リング操作情報は操作リング１１５が操作されたことを示す情報を含む。操作リング１１５が操作されていないときは、リング操作情報は操作リング１１５が操作されていないことを示す情報を含む。
【００５８】
以上のように、カメラボディ１０２と電動交換レンズ１０１とで必要なデータの要求および応答を実行し、カメラボディ１０２と電動交換レンズ１０１は初期動作を終える。なお、レンズ状態データはカメラボディ１０２から電動交換レンズ１０１に対して初期動作の後も定期的に要求される。
【００５９】
２−３．通常ズーム動作モード時の制御
電動交換レンズ１０１が通常ズーム動作モードに設定されている時のズーム制御について説明する。
【００６０】
図７は、通常ズーム動作モード時のズーム動作シーケンスを説明した図である。デジタルカメラ１００の使用者が電動交換レンズ１０１の操作リング１１５を操作すると（Ｓ４０１）、レンズコントローラ１２０は、カメラコントローラ１５３が定期的に行っているレンズ状態データ要求（Ｓ４０２）に対して、操作リング１１５が操作されたことを示すリング操作情報を含んだレンズ状態データを返信する（Ｓ４０３）。このレンズ状態データには、ズームレンズ１１２の現在の焦点距離に関するズーム焦点距離情報が含まれている。
【００６１】
カメラコントローラ１５３は、リング操作情報により、操作リング１１５が操作されたことを認識すると、レンズ状態データに含まれるズーム焦点距離情報に基づいて、図５（ｂ）に示すように、液晶モニタ１６３にズーム焦点距離情報表示３００を表示する（Ｓ４０４）。このズーム焦点距離情報表示３００により、使用者は、ズームレンズ１１２の位置によって定まる焦点距離を把握することができる。なお、焦点距離の代わりに、ズームレンズ１１２の位置を表示するようにしても良いし、焦点距離によって決まる変倍率を表示するようにしてもよい。
【００６２】
また、レンズコントローラ１２０は、操作リング１１５が操作されると、ズームレンズ駆動部１１３に制御信号を送り、ズームレンズ１１２を駆動する（Ｓ４０５）。カメラコントローラ１５３は、使用者が操作リング１１５を操作中でも、定期的にレンズ状態データの要求を行い（Ｓ４０６）、レンズコントローラ１２０はレンズ状態データを送信する（Ｓ４０７）。このとき、ズームレンズ１１２が駆動されているので、レンズ状態データに含まれるズーム焦点距離情報は更新されていく。カメラコントローラ１５３は、レンズ状態データの応答を受け、更新されたズーム焦点距離情報に基づいて、液晶モニタ１６３のズーム焦点距離情報表示３００の更新を行う（Ｓ４０８）。
【００６３】
このように、レンズ状態データ要求（Ｓ４０６）、レンズ状態データ応答（Ｓ４０７）、及びズーム焦点距離情報表示の更新（Ｓ４０８）は、ズームレンズ１１２が駆動されている間繰り返され、これによりデジタルカメラ１００の使用者は液晶モニタ１６３にてズームレンズ１１２の駆動状態を把握することが可能となる。
【００６４】
電動交換レンズ１０１の変倍率が使用者の所望の変倍率に達すると、使用者により操作リング１１５の操作が終了される（Ｓ４１１）。レンズコントローラ１２０は、操作リング１１５の操作終了を検出すると、即座にズームレンズ駆動部１１３に停止命令を発し、ズームレンズ１１２の駆動を停止する（Ｓ４１２）。
【００６５】
カメラコントローラ１５３により定期的に実施されるレンズ状態データ要求（Ｓ４１３）に対して、レンズコントローラ１２０は、最終的にズームレンズ１１２が停止した位置に対応するズーム焦点距離情報と、操作リング１１５の操作が終了されたことを示すリング操作情報とを含むレンズ状態データを送信する（Ｓ４１４）。
【００６６】
カメラコントローラ１５３は、レンズコントローラ１２０からのレンズ状態データを受けて、液晶モニタ１６３のズーム焦点距離情報表示３００を更新する（Ｓ４１５）。使用者は、更新されたズーム焦点距離情報表示３００を確認することで、ズームレンズ１１２の最終的な停止位置を把握できる。カメラコントローラ１５３は、更新されたズーム焦点距離情報表示３００の表示から所定時間経過した後（Ｓ４１６）、液晶モニタ１６３の表示を、図５（ｂ）に示すズーム焦点距離情報表示３００を含む表示状態から図５（ａ）に示す通常の表示状態へ戻す（Ｓ４１７）。
【００６７】
２−４．ステップズーム動作モード時の制御
電動交換レンズ１０１がステップズーム動作モードに設定されている時のズーム制御について説明する。
【００６８】
図８は、ステップズーム動作モード時のズーム動作シーケンスを説明した図である。
【００６９】
デジタルカメラ１００の使用者が、カメラボディ１０２のメニュー設定などにおいて、ステップズーム動作モードを選択すると（Ｓ５００）、カメラコントローラ１５３は、電動交換レンズ１０１にステップズーム動作モードの設定を通知する（Ｓ５０１）。電動交換レンズ１０１は、カメラコントローラ１５３からのステップズーム動作モード設定通知を受けて、ステップズーム動作モードに遷移する（Ｓ５０２）。
【００７０】
デジタルカメラ１００の使用者により電動交換レンズ１０１の操作リング１１５が操作されると（Ｓ５０３）、カメラコントローラ１５３により定期的に行われるレンズ状態データ要求（Ｓ５０４）に応答して、レンズコントローラ１２０は、操作リング１１５が操作されたことを示すリング操作情報を含んだレンズ状態データを返信する（Ｓ５０５）。このレンズ状態データには、ズームレンズ１１２の現在の焦点距離に関するズーム焦点距離情報が含まれる。
【００７１】
カメラコントローラ１５３は、リング操作情報により、操作リング１１５が操作されたことを認識すると、レンズ状態データに含まれるズーム焦点距離情報に基づいて、液晶モニタ１６３に、図５（ｃ）に示すように、ステップズーム動作モード用のズーム焦点距離情報表示３１０を表示する（Ｓ５０６）。このズーム焦点距離情報表示３１０により、使用者は、ズームレンズ１１２の現在のズーム焦点距離情報と、ステップズーム動作における停止可能位置（目盛り位置）とを把握することができる。
【００７２】
その後、レンズコントローラ１２０は、操作リング１１５の操作にしたがい、ズームレンズ駆動部１１３に制御信号を送り、ズームレンズ１１２を駆動する（Ｓ５０７）。カメラコントローラ１５３は、操作リング１１５が操作されている間も、定期的にレンズ状態データの要求を行う（Ｓ５０８）。レンズコントローラ１２０は、定期的なレンズ状態データの要求に応答して、レンズ状態データを送信する（Ｓ５０９）。このとき、ズームレンズ１１２が駆動されているため、レンズ状態データに含まれるズーム焦点距離情報が更新されていく。カメラコントローラ１５３はレンズ状態データの応答を受け、更新されたズーム焦点距離情報に基づいて、液晶モニタ１６３のズーム焦点距離情報表示３１０を更新する（Ｓ５１０）。
【００７３】
電動交換レンズ１０１の変倍率が使用者の所望の変倍率に達すると、使用者により操作リング１１５の操作が終了される（Ｓ５１１）。レンズコントローラ１２０は、操作リング１１５の操作終了を検出すると、操作終了の検知時点のズームレンズ１１２の位置情報から、現在のズームレンズ１１２の進行方向において次にズームレンズ１１２を停止させることが可能な停止位置を算出し、その算出した停止位置まで、ズームレンズ１１２を駆動する（Ｓ５１２）。
【００７４】
レンズコントローラ１２０は、カメラコントローラ１５３からの定期的なレンズ状態データ要求（Ｓ５１３）に対して、最終的なズームレンズ１１２の停止位置に対応するズーム焦点距離情報と、操作リング１１５の操作が終了されたことを示すリング操作情報とを含むレンズ状態データを送信する（Ｓ５１４）。
【００７５】
カメラコントローラ１５３は、レンズコントローラ１２０からのレンズ状態データの応答を受けて、液晶モニタ１６３のズーム焦点距離情報表示３１０を更新する（Ｓ５１５）。使用者は、更新されたズーム焦点距離情報表示３１０を確認することで、最終的なズームレンズ１１２の停止位置を把握できる。カメラコントローラ１５３は、ズーム焦点距離情報表示３１０が更新されてから所定時間経過後（Ｓ５１６）、液晶モニタ１６３の表示を、図５（ｃ）に示すズーム焦点距離情報表示３１０を含む表示状態から図５（ａ）に示す通常の表示状態へ戻す（Ｓ５１７）。
【００７６】
２−５．ステップズーム動作モードから通常ズーム動作モードへの切替え
電動交換レンズ１０１のズーム動作モードを、ステップズーム動作モードから通常ズーム動作モードへ遷移させる時の制御について説明する。
【００７７】
図９は、ステップズーム動作モードから通常ズーム動作モードへズーム動作モードを切り替えるときのシーケンスを説明した図である。デジタルカメラ１００の使用者によりカメラボディ１０２のメニュー設定などにおいて、ステップズーム動作モードがオフされると（Ｓ６００）、カメラコントローラ１５３は、電動交換レンズ１０１にステップズーム動作モードの設定解除を通知する（Ｓ６０１）。レンズコントローラ１２０は、カメラコントローラ１５３からステップズーム動作モード設定解除通知を受けると、ズーム動作モードを通常ズーム動作モードへ切り替える（Ｓ６０２）。
【００７８】
３．まとめ
実施の形態１のデジタルカメラ１００の交換レンズ１０１は、ズームレンズ１１２と、ズームレンズを駆動させるズームレンズ駆動部１１３と、ズームレンズ１１２の倍率を変更するためのユーザによる操作を受け付ける操作リング１１５と、操作リング１１５の操作に応じてズームレンズ駆動部１１３を制御するレンズコントローラ１２０とを備える。レンズコントローラ１２０は、ズームレンズ１１２を操作リング１１５の操作に応じた任意の位置に停止可能な通常ズーム動作モード（第一の動作モード）と、ズームレンズ１１２を操作リング１１５の操作に応じて離散的な所定の停止位置に停止可能なステップズーム動作モード（第二の動作モード）のうちのいずれかの動作モードでズームレンズ駆動部１１３を制御する。
【００７９】
ステップズーム動作モードにより、操作リング１１５の停止位置に基づいて予め決められた所望の位置に迅速に且つ正確にズームレンズを停止させることができる。このため、使用者にとって使い勝手の良いズーム倍率設定が可能となる。
【００８０】
他の実施の形態
本発明は、上記実施の形態に限定されず、種々の実施の形態が考えられる。以下、本発明の他の実施の形態について記載する。
【００８１】
上記実施の形態１において、ステップズーム動作モードにおけるズームレンズ１１２の停止可能な位置群の情報は、電動交換レンズ１０１のフラッシュメモリ１２２に予め記憶されていた。しかし、ステップズーム動作モードにおいて停止可能な位置群の情報を、電動交換レンズ１０１の種類毎に、カメラボディ１０２のフラッシュメモリ１５６に予め記憶するようにしてもよい。この場合、カメラコントローラ１５３は、例えばステップＳ３１２及びＳ３１３で取得したレンズデータ（レンズ名称など）に応じて、初期動作において、記憶している停止位置群の中から、装着した交換レンズに対応した停止可能位置を求め、その求めた停止可能位置の情報を電動交換レンズ１０１へ送信する。また、カメラコントローラ１５３は、ステップズーム動作モードに遷移するときに、ズームレンズ１１２を停止させることが可能な停止位置群の情報を電動交換レンズ１０１へ通知しても良い。
【００８２】
ステップズーム動作モードにおいて、ズームレンズ１１２を停止させる位置を、ユーザにより、カメラボディ１０２のメニュー設定（例えば、液晶モニタ１６３に表示されるメニュー画面）で設定できるようにしても良い。この場合、電動交換レンズ１０１がズームレンズ１１２の停止可能な位置群の情報を予めフラッシュメモリ１２２に保持しているとき、初期動作時（例えば、Ｓ３１１及び３１２）又はユーザが停止位置を選択する時に、レンズコントローラ１２０は、カメラコントローラ１５３にズームレンズ１１２の停止可能な位置群を通知する。そして、通知された停止位置群の中から、ステップズーム動作モードにおいて停止する１つ以上の位置をユーザにより選択されるようにする。カメラコントローラ１５３は、ユーザにより選択された停止位置を、レンズコントローラ１２０に通知する。
【００８３】
また、カメラボディ１０２が、ステップズーム動作モードにおいて停止可能な位置群をフラッシュメモリ１５６に予め記憶している場合、カメラボディ１０２のフラッシュメモリ１５６に記憶されている停止位置群の中から、ステップズーム動作モードにおいて停止する１つ以上の位置をユーザにより選択されるようにしても良い。カメラコントローラ１５３は、ユーザにより選択された停止位置をレンズコントローラ１２０に通知する。
【００８４】
上記実施の形態において、レンズコントローラ１２０は、ズームレンズ１１２を実際に停止させた後（Ｓ５１２）に、カメラコントローラ１５３からのレンズ状態データ要求に応答して、ズームレンズ１１２が実際に停止した位置に関する情報をカメラボディ１０２のカメラコントローラ１５３に送信するようにした（Ｓ５１４）。しかしながら次のように構成してもよい。レンズコントローラ１２０は、操作リング１１５の操作終了を検出すると（ステップＳ５１１）、操作終了の検知時のズームレンズ１１２の位置情報から、現在のズームレンズ１１２の進行方向において次にズームレンズ１１２を停止させることが可能な停止位置を算出する。この際に、ズームレンズ１１２が実際に停止する前に、算出した停止位置に関する情報をカメラコントローラ１５３に送信してもよい。これにより、カメラコントローラ１５３は、ズームレンズ１１２が実際に停止する前に、ズームレンズ１１２が停止する予定の位置を認識することができ、また、その予定位置を液晶モニタ１６３に表示すること等によりユーザに通知することができる。
【００８５】
また、通常、レンズコントローラ１２０が操作リング１１５の操作終了を検出すると（Ｓ５１１）、操作終了の検知時のズームレンズ１１２の位置情報に基づき、現在のズームレンズ１１２の進行方向において次にズームレンズ１１２を停止させることが可能な、現在のズームレンズ１１２位置に最も近い停止位置を算出することが望ましい。しかしながら、なんらかの理由により最も近い停止位置には停止できない場合があり得る。そのような場合、レンズコントローラ１２０は、カメラコントローラ１５３に対し、最も近い停止位置には停止できないことを示す情報を、レンズ状態データの応答の際に通知するようにしてもよい。また、この情報と共に、実際に停止できる停止位置を予定位置として通知するようにしてもよい。
【００８６】
上記実施の形態において、レンズコントローラ１２０は、ステップズーム動作モード時、あらかじめ設定された停止位置でのみズームレンズ１１２を停止させるように制御を行う。しかしながら、なんらかの理由によりズームレンズ１１２をあらかじめ設定された停止位置で停止できず、それ以外の位置で停止させた場合には、レンズコントローラ１２０は、あらかじめ設定された停止位置での停止が不可能であることを示す情報をカメラコントローラ１５３に通知するようにしてもよい。なお、この場合にもレンズコントローラ１２０は、カメラコントローラ１５３からのレンズ状態データ要求に応じて、ズームレンズ１１２が実際に停止した位置に関する情報をカメラボディ１０２のカメラコントローラ１５３に送信するようにしてもよい。
【００８７】
上記実施の形態１及び他の実施の形態それぞれに開示した思想は、当業者が適宜組み合わせることができる。
【００８８】
上記実施の形態では撮像装置の一例としてデジタルカメラ１００を例示したが、本発明の思想はデジタルカメラへの適用に限定されない。本発明の思想は、ムービーカメラ、カメラ付き携帯電話などの撮像装置であって、ズーム機能を備えた交換レンズを装着可能な交換レンズ式の撮像装置に適用可能である。
【産業上の利用可能性】
【００８９】
本発明は、デジタルカメラ、ムービーカメラ、カメラ付き携帯電話などの撮像装置であって、ズーム機能を備えた交換レンズを装着可能な交換レンズ式の撮像装置に適用可能である。
【符号の説明】
【００９０】
１００  デジタルカメラ
１０１  電動交換レンズ
１０２  カメラボディ
１１０  フォーカスレンズ
１１１  フォーカスレンズ駆動部
１１２  ズームレンズ
１１３  ズームレンズ駆動部
１１５  操作リング
１１６  絞り
１１７  絞り駆動部
１２０  レンズコントローラ
１２１  ＤＲＡＭ（レンズ側）
１２２  フラッシュメモリ（レンズ側）
１３０  レンズマウント
１４０  ボディマウント
１５０  ＣＭＯＳイメージセンサ
１５１  ＴＧ
１５２  ＡＦＥ
１５３  カメラコントローラ
１５４  電源
１５５  ＤＲＡＭ（ボディ側）
１５６  フラッシュメモリ（ボディ側）
１６０  レリーズ釦
１６２  タッチパネル
１６３  液晶モニタ
１６４  メモリカード
１６５  カードスロット
１７０  カメラ側操作部
２０４  中央釦
２０５  十字釦
【図１】
2012131794.tif 000003
【図２】
2012131794.tif 000004
【図３】
2012131794.tif 000005
【図４】
2012131794.tif 000006
【図５】
2012131794.tif 000007
【図６】
2012131794.tif 000008
【図７】
2012131794.tif 000009
【図８】
2012131794.tif 000010
【図９】
2012131794.tif 000011
【手続補正書】
【提出日】平成24年5月11日(2012.5.11)
【手続補正１】
【補正対象書類名】特許請求の範囲
【補正対象項目名】全文
【補正方法】変更
【補正の内容】
【特許請求の範囲】
【請求項１】
カメラボディに装着可能な交換レンズであって、
ズームレンズと、
前記ズームレンズを駆動させる駆動部と、
前記ズームレンズの倍率を変更するためのユーザによる操作を受け付ける操作部と、
前記操作部の操作に応じて前記駆動部を制御する制御部と、を備え、
前記制御部は、
前記ズームレンズを前記操作部の操作に応じた任意の位置に停止可能な第一の動作モードと、前記ズームレンズを前記操作部の操作に応じて離散的な所定の停止位置に停止可能な第二の動作モードのうちのいずれかの動作モードで前記駆動部を制御し、
前記第二の動作モードにおける前記所定の停止位置に前記ズームレンズを実際に停止することができない場合、前記カメラボディに、前記ズームレンズを前記所定の停止位置に停止できないことを示す情報を送信する、
交換レンズ。
【請求項２】
前記制御部は、前記カメラボディからの指示にしたがい、前記動作モードを、前記第一の動作モードまたは前記第二の動作モードに設定する、請求項１記載の交換レンズ。
【請求項３】
前記所定の停止位置に関する情報を予め格納する記憶部をさらに備えた、請求項１記載の交換レンズ。
【請求項４】
前記記憶部に予め格納されている前記所定の停止位置に関する情報を前記カメラボディに送信する通信部をさらに備えた、請求項３記載の交換レンズ。
【請求項５】
前記ズームレンズが実際に停止した位置に関する情報を前記カメラボディに送信する通信部をさらに備えた、請求項１記載の交換レンズ。
【請求項６】
前記制御部は、前記第二の動作モードにおける所定の停止位置に前記ズームレンズを停止することができない場合、前記カメラボディに、前記ズームレンズの実際の停止位置に関する情報を送信する、請求項５記載の交換レンズ。
【請求項７】
カメラボディに装着可能な交換レンズであって、
ズームレンズと、
前記ズームレンズを駆動させる駆動部と、
前記ズームレンズの倍率を変更するためのユーザによる操作を受け付ける操作部と、
前記操作部の操作に応じて前記駆動部を制御する制御部と、を備え、
前記制御部は、
前記ズームレンズを前記操作部の操作に応じた任意の位置に停止可能な第一の動作モードと、前記ズームレンズを前記操作部の操作に応じて離散的な所定の停止位置に停止可能な第二の動作モードのうちのいずれかの動作モードで前記駆動部を制御し、
前記所定の停止位置に関する情報を前記カメラボディから受信する、
交換レンズ。
【請求項８】
前記制御部は、前記カメラボディからの指示にしたがい、前記動作モードを、前記第一の動作モードまたは前記第二の動作モードに設定する、請求項７記載の交換レンズ。
【請求項９】
前記所定の停止位置に関する情報を予め格納する記憶部をさらに備えた、請求項７記載の交換レンズ。
【請求項１０】
前記記憶部に予め格納されている前記所定の停止位置に関する情報を前記カメラボディに送信する通信部をさらに備えた、請求項９記載の交換レンズ。
【請求項１１】
前記ズームレンズが実際に停止した位置に関する情報を前記カメラボディに送信する通信部をさらに備えた、請求項７記載の交換レンズ。
【請求項１２】
離散的な所定の停止位置に停止可能なズームレンズを備えた交換レンズを装着可能なカメラボディであって、
装着された交換レンズから、その交換レンズの特性情報を取得し、取得した特性情報に基づいて、前記装着された交換レンズについての所定の停止位置に関する情報を求める制御部と、
その求めた停止位置に関する情報を前記交換レンズに送信する通信部と、
を備えた、カメラボディ。
【手続補正２】
【補正対象書類名】明細書
【補正対象項目名】全文
【補正方法】変更
【補正の内容】
【発明の詳細な説明】
【技術分野】
【０００１】
本発明は、電動ズームレンズを備えた交換レンズ、及びその交換レンズを装着可能なカメラボディに関する。
【背景技術】
【０００２】
従来の交換レンズユニットは、フォーカスレンズやズームレンズ等の光学系を機械的に駆動する機構を採用している。これに対して、近年、光学系をモータなどの電動アクチュエータにより駆動する交換レンズユニットが提案されている（例えば、特許文献１参照）。
【０００３】
一方、レンズ内蔵型カメラには、所定の変倍率で撮影できるように、予め決められているズーム焦点距離に設定可能なステップズーム機能が搭載されているものがある（例えば、特許文献２参照）。
【先行技術文献】
【特許文献】
【０００４】
【特許文献１】国際公開第２００９／０４１０６３号パンフレット
【特許文献２】特開平２−６８５０７号公報
【発明の概要】
【発明が解決しようとする課題】
【０００５】
レンズ交換式のカメラにおいて、ズームの変倍率を特定の値に設定するとき、使用者は、ファインダー等により画角を確認しながら、経験と感覚で、ズームの変倍率を設定する場合や、ズーム駆動リングに表記されている焦点距離の指標に合わせてズームの変倍率を設定する場合がある。この場合、再度同じ変倍率を設定するのに時間がかかったり、正確性に欠けることがあった。よって、従来のレンズ交換式のカメラにおいては、使用者にとって、変倍率の設定の使い勝手が良くなかった。
【０００６】
本発明は、上記課題を鑑みてなされたものであり、カメラの使用者にとって使い勝手の良い変倍率設定が可能な交換レンズ、及びその交換レンズを装着可能なカメラボディを提供することを目的とする。
【課題を解決するための手段】
【０００７】
本発明の第１の態様において、カメラボディに装着可能な交換レンズが提供される。交換レンズは、ズームレンズと、ズームレンズを駆動させる駆動部と、ズームレンズの倍率を変更するためのユーザによる操作を受け付ける操作部と、操作部の操作に応じて駆動部を制御する制御部と、を備える。制御部は、ズームレンズを操作部の操作に応じた任意の位置に停止可能な第一の動作モードと、ズームレンズを操作部の操作に応じて離散的な所定の停止位置に停止可能な第二の動作モードのうちのいずれかの動作モードで駆動部を制御し、第二の動作モードにおける所定の停止位置にズームレンズを実際に停止することができない場合、カメラボディに、ズームレンズを所定の停止位置に停止できないことを示す情報を送信する。
【０００８】
本発明の第２の態様において、離散的な所定の停止位置に停止可能なズームレンズを備えた交換レンズを装着可能なカメラボディが提供される。カメラボディは、装着された交換レンズから、その交換レンズの特性情報を取得し、取得した特性情報に基づいて、装着された交換レンズについての所定の停止位置に関する情報を求める制御部と、その求めた停止位置に関する情報を交換レンズに送信する通信部と、を備える。
本発明の第３の態様において、カメラボディに装着可能な交換レンズが提供される。交換レンズは、ズームレンズと、ズームレンズを駆動させる駆動部と、ズームレンズの倍率を変更するためのユーザによる操作を受け付ける操作部と、操作部の操作に応じて駆動部を制御する制御部と、を備える。制御部は、ズームレンズを操作部の操作に応じた任意の位置に停止可能な第一の動作モードと、ズームレンズを操作部の操作に応じて離散的な所定の停止位置に停止可能な第二の動作モードのうちのいずれかの動作モードで駆動部を制御し、所定の停止位置に関する情報をカメラボディから受信する。
【発明の効果】
【０００９】
本発明によれば、連続的なズーム動作（第一のズーム動作モード）と段階的（離散的）なズーム動作（第二のズーム動作モード）との両方で変倍率を設定可能にしている。段階的なズーム動作では、予め決められた所望の位置に迅速に且つ正確にズームレンズを停止させることができる。よって、使用者にとって使い勝手の良い変倍率設定が可能な交換レンズ、及びその交換レンズを装着可能なカメラボディを実現することができる。
【図面の簡単な説明】
【００１０】
【図１】本発明の実施の形態１のデジタルカメラの外観図
【図２】本発明の実施の形態１のデジタルカメラの背面図
【図３】本発明の実施の形態１のデジタルカメラの電気的構成図
【図４】本発明の実施の形態１におけるズーム動作モードのイメージ図
【図５】本発明の実施の形態１にけるカメラボディの表示部の表示例を示す図であって、（ａ）は通常状態の表示例、（ｂ）は通常ズーム動作モード時の表示例、（ｃ）はステップズーム動作モード時の表示例を示す図
【図６】本発明の実施の形態１のデジタルカメラの初期動作のフローチャート
【図７】本発明の実施の形態１のデジタルカメラの通常ズーム動作モード時のズーム動作を示すフローチャート
【図８】本発明の実施の形態１のデジタルカメラのステップズーム動作モード時のズーム動作を示すフローチャート
【図９】本発明の実施の形態１のデジタルカメラのステップズーム動作モードから通常ズーム動作モードへの切り替えの動作を示すフローチャート
【発明を実施するための形態】
【００１１】
以下、添付の図面を参照して、本発明の実施形態を説明する。
【００１２】
実施の形態１
本発明の実施の形態１のデジタルカメラは、ズームレンズを電動で駆動し、連続的なズーム動作と段階的（離散的）なズーム動作とを実行可能な交換レンズを備える。デジタルカメラは、段階的なズーム動作では、使用者による操作リングの操作に応じて、迅速に且つ正確にズームレンズを予め決められた所望の位置に停止する。これにより、使用者にとって使い勝手の良い変倍率設定を可能にする。
【００１３】
１．構成
１−１．デジタルカメラの全体構成
実施の形態１にかかるデジタルカメラの構成の概要について説明する。
【００１４】
図１に、実施の形態１のデジタルカメラの外観図を示す。図１に示すように、デジタルカメラ１００は、電動交換レンズ１０１と、電動交換レンズ１０１を装着可能なカメラボディ１０２とを有する。電動交換レンズ１０１は、操作リング１１５を備えている。操作リング１１５は、使用者により操作されると電動交換レンズ１０１のズームレンズの制御を行う。カメラボディ１０２は、レリーズ釦１６０を備えている。カメラボディ１０２は、使用者によるレリーズ釦１６０の操作を受け付けると、装着された電動交換レンズ１０１に対して、オートフォーカス動作を実行させるように制御信号を通知したり、電動交換レンズ１０１を介して形成される被写体像の撮影動作を実行したりする。
【００１５】
図２に、デジタルカメラ１００のカメラボディ１０２の背面図を示す。カメラボディ１０２は、背面部に、液晶モニタ１６３、タッチパネル１６２、及びカメラ側操作部１７０（中央釦２０４および十字釦２０５を含む）等を備えている。カメラボディ１０２は、使用者によるタッチパネル１６２やカメラ側操作部１７０の操作を受け付けて、受け付けた操作内容に従った各種制御を行う。
【００１６】
図３に、デジタルカメラ１００（電動交換レンズ１０１およびカメラボディ１０２）の電気的構成図を示す。電動交換レンズ１０１は、レンズコントローラ１２０、レンズマウント１３０、フォーカスレンズ１１０およびズームレンズ１１２を含む光学系、フォーカスレンズ駆動部１１１、ズームレンズ駆動部１１３、絞り１１６、絞り駆動部１１７、操作リング１１５、ＤＲＡＭ１２１、及びフラッシュメモリ１２２を備えている。カメラボディ１０２は、カメラコントローラ１５３、ボディマウント１４０、ＣＭＯＳイメージセンサ１５０、タイミングジェネレータ（ＴＧ）１５１、アナログフロントエンド（ＡＦＥ）１５２、液晶モニタ１６３、タッチパネル１６２、レリーズ釦１６０、カメラ側操作部１７０、電源１５４、ＤＲＡＭ１５５、フラッシュメモリ１５６、カードスロット１６５、及びメモリカード１６４を備えている。
【００１７】
１−２．電動交換レンズの構成
電動交換レンズ１０１の各部について説明する。
【００１８】
レンズコントローラ１２０は、電動交換レンズ１０１全体の動作を制御する。レンズコントローラ１２０は、使用者による操作リング１１５の操作を受け付けて、ズームレンズ１１２を駆動させるよう、ズームレンズ駆動部１１３を制御する。レンズコントローラ１２０は、ＤＲＡＭ１２１やフラッシュメモリ１２２に接続され、これらのメモリに対して、必要に応じて情報を書き込んだり、読み出したりすることができる。また、レンズコントローラ１２０は、レンズマウント１３０を介して、カメラコントローラ１５３と通信することができる。レンズコントローラ１２０は、ハードワイヤードな電子回路で構成してもよいし、プログラムを用いたマイクロコンピュータなどで構成してもよい。
【００１９】
レンズマウント１３０は、カメラボディ１０２に設けられたボディマウント１４０と相俟って、電動交換レンズ１０１とカメラボディ１０２とを機械的および電気的に接続するための接続部材である。電動交換レンズ１０１とカメラボディ１０２とが機械的および電気的に接続されると、レンズコントローラ１２０とカメラコントローラ１５３とは通信可能な状態になる。
【００２０】
ＤＲＡＭ１２１は、レンズコントローラ１２０による各種制御の際のワークメモリとして使用される。また、フラッシュメモリ１２２は、レンズコントローラ１２０による各種制御の際に使用されるプログラム、パラメータ、及びレンズデータ等を格納している。
【００２１】
フォーカスレンズ１１０は、電動交換レンズ１０１の光学系に入射され、ＣＭＯＳイメージセンサ１５０上に形成される被写体像のフォーカス状態を変化させるためのレンズである。フォーカスレンズ１１０のレンズ構成は何枚でも何群でもよい。フォーカスレンズ駆動部１１１は、レンズコントローラ１２０から通知される制御信号に基づいてフォーカスレンズ１１０を光学系の光軸に沿って進退するように駆動する。フォーカスレンズ駆動部１１１は、例えば、ステッピングモータ、ＤＣモータ、又は超音波モータなどにより実現できる。
【００２２】
ズームレンズ１１２は、電動交換レンズ１０１の光学系で形成される被写体像の倍率を変化させるためのレンズである。ズームレンズ１１２のレンズ構成は何枚でも何群でもよい。ズームレンズ駆動部１１３は、レンズコントローラ１２０から通知される制御信号に基づいてズームレンズ１１２を光学系の光軸に沿って進退するように電動で駆動する。ズームレンズ駆動部１１３は、例えば、ステッピングモータ、ＤＣモータ、又は超音波モータなどにより実現できる。
【００２３】
絞り１１６は、開閉可能な複数の機械羽根により構成されている。絞り１１６は、電動交換レンズ１０１の光学系に入射する光の量を調節するための部材である。絞り駆動部１１７は、レンズコントローラ１２０から通知される制御信号に基づいて、絞り１１６の機械羽根の開閉状態を変化させる。絞り駆動部１１７は、例えば、ステッピングモータ、ＤＣモータ、又は超音波モータなどにより実現できる。
【００２４】
操作リング１１５は、電動交換レンズ１０１の外面に備えられた操作部材である。操作リング１１５は、電動交換レンズ１０１に対して相対的に回転するように構成されている。操作リング１１５の回転位置及び回転速度は検出部（図示せず）により検出されて、レンズコントローラ１２０に通知される。レンズコントローラ１２０は、通知された操作リング１１５の回転位置及び回転速度に基づいて、ズームレンズ駆動部１１３に対して駆動制御信号を供給する。すなわち、レンズコントローラ１２０は、使用者による操作リング１１５の操作に基づいてズームレンズ１１２を駆動させるよう、ズームレンズ駆動部１１３に駆動制御信号を供給する。
【００２５】
１−３．カメラボディの構成
カメラボディ１０２の各部について説明する。
【００２６】
カメラコントローラ１５３は、レリーズ釦１６０やカメラ側操作部１７０からの指示に応じて、ＣＭＯＳイメージセンサ１５０を含むデジタルカメラ１００全体の動作を制御する。カメラコントローラ１５３は、垂直同期信号をタイミングジェネレータ（ＴＧ）１５１に通知する。これと並行して、カメラコントローラ１５３は、垂直同期信号に基づいて露光同期信号を生成する。カメラコントローラ１５３は、生成した露光同期信号を、ボディマウント１４０及びレンズマウント１３０を介して、レンズコントローラ１２０に周期的に繰り返し通知する。カメラコントローラ１５３は、ＤＲＡＭ１５５及びフラッシュメモリ１５６に接続されており、これらのメモリに対して必要に応じて、情報を書き込んだり、読み出したりする。カメラコントローラ１５３は、ハードワイヤードな電子回路で構成してもよいし、プログラムを用いたマイクロコンピュータなどで構成してもよい。
【００２７】
ＤＲＡＭ１５５は、カメラコントローラ１５３による各種制御の際のワークメモリとして使用される。また、フラッシュメモリ１５６は、カメラコントローラ１５３による各種制御の際に使用されるプログラム及びパラメータ等を格納している。
【００２８】
ＣＭＯＳイメージセンサ１５０は、電動交換レンズ１０１を介して入射される被写体像を撮像して画像情報を生成する。生成された画像情報は、ＡＦＥ１５２でアナログ形式のデータからデジタル形式のデータに変換される。ＡＦＥ１５２でデジタル化された画像情報は、カメラコントローラ１５３で各種の画像処理が施される。ここで言う各種の画像処理とは、例えば、ガンマ補正処理、ホワイトバランス補正処理、キズ補正処理、ＹＣ変換処理、電子ズーム処理、ＪＰＥＧ圧縮処理等であるが、これらに限定されるものではない。ＣＭＯＳイメージセンサ１５０に代えて、例えば、ＮＭＯＳイメージセンサ又はＣＣＤイメージセンサなどの他の撮像素子を用いても良い。
【００２９】
ＣＭＯＳイメージセンサ１５０は、ＴＧ１５１で制御されるタイミングで動作する。ＴＧ１５１で制御されるＣＭＯＳイメージセンサ１５０の動作は、静止画像の撮像動作、スルー画像の撮像動作、データ転送動作、及び電子シャッタ動作を含む。スルー画像は主に動画像であり、使用者が静止画像の撮像のための構図を決めるために液晶モニタ１６３に表示されるものである。
【００３０】
液晶モニタ１６３は、カメラボディ１０２の背面に配置され、カメラコントローラ１５３で処理された表示用の画像情報が示す画像を表示する。液晶モニタ１６３は、動画像と静止画とを選択的に表示可能である。また、液晶モニタ１６３は、画像の他、デジタルカメラ１００全体の設定条件等を表示可能である。本実施の形態では、表示手段の一例として液晶モニタ１６３を示すが、本発明はこれに限らない。例えば、有機ＥＬディスプレイ等の表示手段を用いてもよい。
【００３１】
タッチパネル１６２は、液晶モニタ１６３の表面に設けられており、使用者がタッチしたタッチパネル上の電極位置に関する情報を生成する。タッチパネル１６２は、電極位置に関する情報に基づいて、使用者がタッチしたタッチパネル上の位置座標を算出して、カメラコントローラ１５３に通知する。
【００３２】
ボディマウント１４０は、電動交換レンズ１０１が備えるレンズマウント１３０と相俟って、電動交換レンズ１０１とカメラボディ１０２とを機械的及び電気的に接続するための接続部材である。電動交換レンズ１０１とカメラボディ１０２とが機械的および電気的に接続されると、レンズコントローラ１２０とカメラコントローラ１５３とは、通信可能な状態となる。ボディマウント１４０は、カメラコントローラ１５３から受信した露光同期信号及びその他の制御信号を、レンズマウント１３０を介して、レンズコントローラ１２０に送信する。また、ボディマウント１４０は、レンズマウント１３０を介して、レンズコントローラ１２０から受信した信号をカメラコントローラ１５３に送信する。
【００３３】
電源１５４は、デジタルカメラ１００を駆動するための電力を供給する。電源１５４は、例えば、乾電池であってもよいし、充電池であってもよい。また、電源１５４は、電源コードにより外部から供給される電力をデジタルカメラ１００に供給するものであってもよい。電源１５４がＯＮされると、カメラコントローラ１５３は、カメラボディ１０２全体に電力を供給し、同時に、ボディマウント１４０およびレンズマウント１３０を介して、電動交換レンズ１０１に電力を供給する。レンズコントローラ１２０は、電動交換レンズ１０１全体に電力を供給する。
【００３４】
カードスロット１６５は、メモリカード１６４を装着可能な接続手段である。カードスロット１６５は、メモリカード１６４を電気的及び機械的に接続可能である。カードスロット１６５は、メモリカード１６４を制御する機能を備えてもよい。
【００３５】
メモリカード１６４は、内部にフラッシュメモリ等の記憶手段を備えた外部メモリである。メモリカード１６４は、カメラコントローラ１５３で処理された画像情報等のデータを記憶可能である。また、メモリカード１６４は、内部に記憶する画像情報等のデータを出力可能である。メモリカード１６４から出力された画像情報は、カメラコントローラ１５３で処理され、例えば液晶モニタ１６３で再生表示される。
【００３６】
レリーズ釦１６０は、使用者の操作を受け付ける。レリーズ釦１６０は、半押しと全押しの二段階操作が可能である。使用者によりレリーズ釦１６０が半押し操作されることにより、カメラコントローラ１５３はオートフォーカス動作を実行する。また、使用者によりレリーズ釦１６０が全押し操作されると、カメラコントローラ１５３はこの全押し操作のタイミングに応じて生成された画像情報をメモリカード１６４に記憶する。
【００３７】
カメラ側操作部１７０は、上述した中央釦２０４及び十字釦２０５を含む操作部材の総称である。カメラ側操作部１７０は、ＭＦ（マニュアルフォーカス）／ＡＦ（オートフォーカス）を切り替えるスイッチを含む。カメラ側操作部１７０が使用者による操作を受け付けると、カメラコントローラ１５３は、操作指示内容に応じた各種制御を実行する。
【００３８】
１−４．ズーム動作モード
電動交換レンズ１０１のズーム動作モードについて説明する。図４は、本実施の形態におけるズーム動作モードを説明するための図である。本実施の形態のズーム動作モードは、通常ズーム動作モード（第一のズーム動作モード）と、ステップズーム動作モード（第二のズーム動作モード）とを含む。通常ズーム動作モードは、図４の実線で示すように、使用者による電動交換レンズ１０１の操作リング１１５の操作に応じた位置（連続的に変化する位置）にズームレンズ１１２を移動させるモードである。ステップズーム動作モードは、図４の破線で示すように、使用者による電動交換レンズ１０１の操作リング１１５の操作に応じた離散的な位置（図４のＡ〜Ｅ）にズームレンズ１１２を移動させるモードである。ステップズーム動作モードにおいて停止可能な離散的な位置（図４のＡ〜Ｅ）に関する情報は、電動交換レンズ１０１のフラッシュメモリ１２２に予め記憶されている。
【００３９】
通常ズーム動作モードにおいては、電動交換レンズ１０１は、使用者が操作リング１１５の操作を停止するとすぐにズームレンズ１１２の駆動を停止する。これにより、操作リング１１５の操作に応じた連続的な位置にズームレンズ１１２が停止可能になる。一方、ステップズーム動作モードにおいては、電動交換レンズ１０１は、使用者が操作リング１１５の操作を停止すると、実際のズームレンズ１１２の停止位置に対して、予め決められた停止位置群の中のズームレンズ１１２の進行方向において最も近い停止位置まで、ズームレンズ１１２を駆動させた後、駆動を停止する。この場合、操作リング１１５の操作に応じた離散的な位置にズームレンズ１１２が停止可能となる。ステップズーム動作モードによれば、使用者は迅速、正確かつ容易にズームレンズ１１２を所定の焦点距離に移動させることが可能となり、この点において通常ズーム動作モードと比較して利点がある。
【００４０】
使用者は、カメラボディ１０２の液晶モニタ１６３に表示されるメニュー画面上でタッチパネル１６２を操作することで、ズーム動作モードを、通常ズーム動作モードとステップズーム動作モードのいずれかに設定できる。ズーム動作モードの設定情報は、カメラボディ１０２のフラッシュメモリ１５６に記憶されており、カメラコントローラ１５３によって更新される。本実施の形態においては、デフォルト値として、ズーム動作モードは通常ズーム動作モードに設定されている。使用者によりズーム動作モードが変更されると、変更毎に、変更後のズーム動作モードの設定情報がカメラボディ１０２のフラッシュメモリ１５６に記憶される。本実施の形態において、カメラボディ１０２のフラッシュメモリ１５６に記憶されるズーム動作モードの設定情報は、装着される交換レンズの種類に関係なく、一つだけ記憶される。すなわち、使用者がズーム動作モードを変更するまではデフォルトの「通常ズーム動作モード」が記憶され、使用者がズーム動作モードを新たに設定した後は使用者により設定されたズーム動作モードを示す設定情報が記憶される。
【００４１】
図５（ａ）〜（ｃ）は、カメラボディ１０２の液晶モニタ１６３上での表示例を示した図である。図５（ａ）は、カメラボディ１０２の液晶モニタ１６３の通常の表示状態を示した図である。すなわち、図５（ａ）はズームレンズ１１２が駆動されていないときの表示を示す。電動交換レンズ１０１の操作リング１１５が使用者によって操作されると、レンズコントローラ１２０はズームレンズ駆動部１１３に駆動制御信号を供給して、ズームレンズ１１２を動かすと同時に、レンズマウント１３０を介して、カメラボディ１０２に操作リング１１５が操作されたことを示す情報を送信する。カメラボディ１０２は、電動交換レンズ１０１の操作リング１１５が操作されたことを示す情報を、ボディマウント１４０を通じて、カメラコントローラ１５３で受信する。カメラコントローラ１５３は、液晶モニタ１６３の表示を図５（ａ）の表示から、レンズのズーム動作モードに応じて図５（ｂ）または図５（ｃ）の表示に変更する。
【００４２】
図５（ｂ）は、通常ズーム動作モード（第一のズーム動作モード）時の表示例を示す図である。図５（ｂ）では、現在設定されている電動ズームの倍率を使用者が認識できるように、焦点距離の目盛り３０１と現在のズーム焦点距離を示す指標３０３を含むズーム焦点距離情報表示３００が表示されている。通常ズーム動作モード時、レンズコントローラ１２０は、電動交換レンズ１０１のズームレンズ１１２が駆動されているときに、操作リング１１５の操作が停止されたことを検出すると、ズームレンズ駆動部１１３への制御信号の供給を直ちに停止する。これにより、デジタルカメラ１００の使用者は、操作リング１１５の操作によって、ズームレンズ１１２の変倍率を所望の変倍率に設定することができる。図５（ｂ）の例では、１４ミリ〜４５ミリの中から所望の焦点距離（例えば、１９ミリ）に設定できる。
【００４３】
一方、図５（ｃ）は、ステップズーム動作モード（第二のズーム動作モード）時の表示例を示す図である。図５（ｃ）では、現在設定されている電動ズームの倍率を使用者が認識できるように、焦点距離の目盛り３１１と現在のズーム焦点距離を示す指標３１３を含むズーム焦点距離情報表示３１０が表示されている。ステップズーム動作モード時、レンズコントローラ１２０は、電動交換レンズ１０１のズームレンズ１１２の駆動途中に操作リング１１５の操作が停止されたことを検出すると、予め決められたズームレンズの停止位置群の中から、実際のズームレンズ１１２の停止位置に対してズームレンズ１１２の進行方向で最も近い停止位置を決定する。そして、レンズコントローラ１２０は、ズームレンズ１１２を、決定した停止位置まで駆動し、その後、ズームレンズ駆動部１１３への制御信号の供給を停止する。これにより、デジタルカメラの使用者は、予め決められた複数の焦点距離（変倍率）のうちの１つに焦点距離を設定することができる。図５（ｃ）の例では、１４ミリ、１８ミリ、２５ミリ、３５ミリ、及び４５ミリのいずれか（例えば、２５ミリ）に焦点距離（変倍率）を設定できる。
【００４４】
２．動作
２−１．概要
実施の形態１にかかるデジタルカメラ１００の動作の概要について説明する。電動交換レンズ１０１がカメラボディ１０２に装着された状態で、使用者がカメラボディ１０２の電源スイッチ（図示せず）を操作することにより、カメラボディ１０２の電源１５４がＯＮ状態に切り換えられると、電力供給とともに各種初期設定がなされる。
【００４５】
カメラボディ１０２は、フラッシュメモリ１５６に記憶されているズーム動作モードの設定情報に基づいて、電動交換レンズ１０１にズーム動作モードの情報を送信する。フラッシュメモリ１５６には、前回の電源ＯＦＦ時にカメラボディ１０２に設定されていたズーム動作モードを示す設定情報が格納されている。カメラボディ１０２に装着された電動交換レンズ１０１は、カメラボディ１０２から取得した設定情報の内容に応じて、ズーム動作モードを通常ズーム動作モードとステップズーム動作モードのいずれかに設定する。
【００４６】
デジタルカメラ１００の使用者は、カメラボディ１０２上での操作により、電動交換レンズ１０１のズーム動作モードを設定することが可能である。使用者のカメラボディ１０２上での操作によりズーム動作モードの切替え設定が行われると、カメラボディ１０２はズーム動作モード切替え情報を電動交換レンズ１０１に送信する。電動交換レンズ１０１は、カメラボディ１０２からの情報に応じて、ズーム動作モードを切り替える。
【００４７】
以下、電動交換レンズ１０１とカメラボディ１０２の初期動作とズーム動作について、詳細を説明する。
【００４８】
２−２．電動交換レンズをカメラボディに装着した時の初期動作
電動交換レンズ１０１をカメラボディ１０２に装着した時の初期動作について図６を用いて説明する。図６は、デジタルカメラ１００の撮像準備のための初期動作のシーケンスを示す図である。
【００４９】
電動交換レンズ１０１がカメラボディ１０２に装着された状態で、使用者がカメラボディ１０２の電源１５４をＯＮにすると（Ｓ３００）、電源１５４は、ボディマウント１４０及びレンズマウント１３０を介して、電動交換レンズ１０１に電力を供給する（Ｓ３０１）。これにより、電動交換レンズ１０１の各部に電力が供給される（Ｓ３０２）。
【００５０】
次に、カメラコントローラ１５３は、レンズコントローラ１２０に対して、電動交換レンズ１０１の認証情報を要求する（Ｓ３０３）。電動交換レンズ１０１の認証情報には、どのような交換レンズが装着されたか（例えば、電動交換レンズ１０１が装着されているか否か）に関する情報、及び電動交換レンズ１０１にアクセサリが装着されているか否かに関する情報が含まれる。レンズコントローラ１２０は、カメラコントローラ１５３からのレンズ認証要求に応答する（Ｓ３０４）。これにより、カメラコントローラ１５３は、レンズ認証を完了させて、カメラボディ１０２に電動交換レンズ１０１が装着されているか否か、または、テレコンバータレンズやワイドコンバータレンズ等のアクセサリが電動交換レンズ１０１に装着されているか否かを把握することができる（Ｓ３０５）。
【００５１】
次に、カメラコントローラ１５３は、レンズコントローラ１２０に対して、初期化動作を実施するよう要求する（Ｓ３０６）。これを受けて、レンズコントローラ１２０は、フォーカスレンズ１１０のリセット、ズームレンズ１１２のリセット、絞り１１６のリセット等の初期化動作を行う（Ｓ３０７）。その後、レンズコントローラ１２０は、カメラコントローラ１５３に対して、レンズ初期化動作が完了した旨を応答する（Ｓ３０８）。これにより、カメラコントローラ１５３は、電動交換レンズ１０１が初期化されたことを把握することができる（Ｓ３０９）。
【００５２】
次に、カメラコントローラ１５３は、レンズコントローラ１２０に対して、レンズデータを要求する（Ｓ３１０）。レンズデータは、電動交換レンズ１０１のフラッシュメモリ１２２に格納されている。カメラコントローラ１５３からのレンズデータ要求を受けて、レンズコントローラ１２０は、フラッシュメモリ１２２からレンズデータを読み出す（Ｓ３１１）。レンズコントローラ１２０は、読み出したレンズデータを、カメラコントローラ１５３に送信する（Ｓ３１２）。
【００５３】
ここで、レンズデータは、レンズ名称、Ｆナンバー、ズーム制御可能範囲、フォーカス制御可能範囲、操作部材に関する情報などの電動交換レンズ１０１に特有の特性値の情報を含む。また、レンズデータは、電動ズームの有無に関する情報と、電動ズーム動作時におけるズーム動作モードに関する情報とを含む。電動ズームの有無に関する情報とは、交換レンズにおいて、ズームレンズ１１２が使用者の操作に機械的に連動して駆動されるのではなく、ズームレンズ駆動部１１３によって電動で駆動されるか否かを示す情報である。ズーム動作モードに関する情報は、ステップズーム動作モードに対応しているか否かを示す情報を含む。カメラコントローラ１５３は、レンズコントローラ１２０から取得した電動ズームの有無に関する情報及びズーム動作モードに関する情報を参照することにより、装着された交換レンズ１０１がズームレンズを電動で駆動可能か否か及びステップズーム動作モードに対応しているか否か等を把握することができる。カメラボディ１０２が電動ズームに対応していれば、カメラコントローラ１５３は、電動ズームに関する種々の制御を実行することができる。また、カメラボディ１０２が、電動交換レンズ１０１のズーム動作モードに対応していれば、カメラコントローラ１５３は、そのズーム動作モードに応じた制御を行うことができる。
【００５４】
特に、レンズコントローラ１２０は、初期動作時に、ステップズーム動作モードにおいてズームレンズ１１２を停止可能な１つ又は複数の位置（焦点距離）をフラッシュメモリ１２２から読み出し、レンズデータに含めて、カメラコントローラ１５３に送信している。よって、カメラコントローラ１５３は、レンズデータを参照することで、液晶モニタ１６３に表示される、図５（ｂ）、（ｃ）に示すようなズーム焦点距離情報表示３００、３１０における目盛りの設定等を行うことができる。
【００５５】
以上のようにして、カメラコントローラ１５３は、装着された電動交換レンズ１０１のレンズデータ取得を完了する（Ｓ３１３）。カメラコントローラ１５３は、取得したレンズデータから、装着されたレンズが電動ズーム対応でかつステップズーム動作モードに対応していると認識した場合、フラッシュメモリ１５６に記憶されている、前回デジタルカメラ１００を使用した使用者が設定したズーム動作モードを読み出し（Ｓ３１４）、電動交換レンズ１０１に読み出したズーム動作モードの設定を通知する（Ｓ３１５）。図６は、通常ズーム動作モード（前回に設定されていたモード）を通知する例を示している。電動交換レンズ１０１はカメラボディ１０２からのズーム動作モード設定通知を受けて、その指示に従ったズーム動作モードに遷移する（Ｓ３１６）。図６の例では、通常ズーム動作モードに遷移した場合を示している。
【００５６】
カメラボディ１０２が、カメラボディ１０２に装着されている電動交換レンズ１０１のレンズデータを把握し（Ｓ３１３）、かつ電動交換レンズ１０１のズーム動作モードの設定が完了する（Ｓ３１６）と、撮像可能な状態になる。
【００５７】
この状態で、カメラコントローラ１５３は、レンズコントローラ１２０に対して、電動交換レンズ１０１の状態を示すレンズ状態データを要求する（Ｓ３１７）。レンズ状態データは、例えば、ズームレンズ１１２によるズーム焦点距離情報（ズーム倍率情報）、フォーカスレンズ１１０の位置情報、絞り１１６の絞り値情報、および操作リング１１５の操作に関するリング操作情報などを含む。この要求に応答して、レンズコントローラ１２０は、カメラコントローラ１５３に対して、要求されたレンズ状態データを送信する（Ｓ３１８）。操作リング１１５が操作されたときは、リング操作情報は操作リング１１５が操作されたことを示す情報を含む。操作リング１１５が操作されていないときは、リング操作情報は操作リング１１５が操作されていないことを示す情報を含む。
【００５８】
以上のように、カメラボディ１０２と電動交換レンズ１０１とで必要なデータの要求および応答を実行し、カメラボディ１０２と電動交換レンズ１０１は初期動作を終える。なお、レンズ状態データはカメラボディ１０２から電動交換レンズ１０１に対して初期動作の後も定期的に要求される。
【００５９】
２−３．通常ズーム動作モード時の制御
電動交換レンズ１０１が通常ズーム動作モードに設定されている時のズーム制御について説明する。
【００６０】
図７は、通常ズーム動作モード時のズーム動作シーケンスを説明した図である。デジタルカメラ１００の使用者が電動交換レンズ１０１の操作リング１１５を操作すると（Ｓ４０１）、レンズコントローラ１２０は、カメラコントローラ１５３が定期的に行っているレンズ状態データ要求（Ｓ４０２）に対して、操作リング１１５が操作されたことを示すリング操作情報を含んだレンズ状態データを返信する（Ｓ４０３）。このレンズ状態データには、ズームレンズ１１２の現在の焦点距離に関するズーム焦点距離情報が含まれている。
【００６１】
カメラコントローラ１５３は、リング操作情報により、操作リング１１５が操作されたことを認識すると、レンズ状態データに含まれるズーム焦点距離情報に基づいて、図５（ｂ）に示すように、液晶モニタ１６３にズーム焦点距離情報表示３００を表示する（Ｓ４０４）。このズーム焦点距離情報表示３００により、使用者は、ズームレンズ１１２の位置によって定まる焦点距離を把握することができる。なお、焦点距離の代わりに、ズームレンズ１１２の位置を表示するようにしても良いし、焦点距離によって決まる変倍率を表示するようにしてもよい。
【００６２】
また、レンズコントローラ１２０は、操作リング１１５が操作されると、ズームレンズ駆動部１１３に制御信号を送り、ズームレンズ１１２を駆動する（Ｓ４０５）。カメラコントローラ１５３は、使用者が操作リング１１５を操作中でも、定期的にレンズ状態データの要求を行い（Ｓ４０６）、レンズコントローラ１２０はレンズ状態データを送信する（Ｓ４０７）。このとき、ズームレンズ１１２が駆動されているので、レンズ状態データに含まれるズーム焦点距離情報は更新されていく。カメラコントローラ１５３は、レンズ状態データの応答を受け、更新されたズーム焦点距離情報に基づいて、液晶モニタ１６３のズーム焦点距離情報表示３００の更新を行う（Ｓ４０８）。
【００６３】
このように、レンズ状態データ要求（Ｓ４０６）、レンズ状態データ応答（Ｓ４０７）、及びズーム焦点距離情報表示の更新（Ｓ４０８）は、ズームレンズ１１２が駆動されている間繰り返され、これによりデジタルカメラ１００の使用者は液晶モニタ１６３にてズームレンズ１１２の駆動状態を把握することが可能となる。
【００６４】
電動交換レンズ１０１の変倍率が使用者の所望の変倍率に達すると、使用者により操作リング１１５の操作が終了される（Ｓ４１１）。レンズコントローラ１２０は、操作リング１１５の操作終了を検出すると、即座にズームレンズ駆動部１１３に停止命令を発し、ズームレンズ１１２の駆動を停止する（Ｓ４１２）。
【００６５】
カメラコントローラ１５３により定期的に実施されるレンズ状態データ要求（Ｓ４１３）に対して、レンズコントローラ１２０は、最終的にズームレンズ１１２が停止した位置に対応するズーム焦点距離情報と、操作リング１１５の操作が終了されたことを示すリング操作情報とを含むレンズ状態データを送信する（Ｓ４１４）。
【００６６】
カメラコントローラ１５３は、レンズコントローラ１２０からのレンズ状態データを受けて、液晶モニタ１６３のズーム焦点距離情報表示３００を更新する（Ｓ４１５）。使用者は、更新されたズーム焦点距離情報表示３００を確認することで、ズームレンズ１１２の最終的な停止位置を把握できる。カメラコントローラ１５３は、更新されたズーム焦点距離情報表示３００の表示から所定時間経過した後（Ｓ４１６）、液晶モニタ１６３の表示を、図５（ｂ）に示すズーム焦点距離情報表示３００を含む表示状態から図５（ａ）に示す通常の表示状態へ戻す（Ｓ４１７）。
【００６７】
２−４．ステップズーム動作モード時の制御
電動交換レンズ１０１がステップズーム動作モードに設定されている時のズーム制御について説明する。
【００６８】
図８は、ステップズーム動作モード時のズーム動作シーケンスを説明した図である。
【００６９】
デジタルカメラ１００の使用者が、カメラボディ１０２のメニュー設定などにおいて、ステップズーム動作モードを選択すると（Ｓ５００）、カメラコントローラ１５３は、電動交換レンズ１０１にステップズーム動作モードの設定を通知する（Ｓ５０１）。電動交換レンズ１０１は、カメラコントローラ１５３からのステップズーム動作モード設定通知を受けて、ステップズーム動作モードに遷移する（Ｓ５０２）。
【００７０】
デジタルカメラ１００の使用者により電動交換レンズ１０１の操作リング１１５が操作されると（Ｓ５０３）、カメラコントローラ１５３により定期的に行われるレンズ状態データ要求（Ｓ５０４）に応答して、レンズコントローラ１２０は、操作リング１１５が操作されたことを示すリング操作情報を含んだレンズ状態データを返信する（Ｓ５０５）。このレンズ状態データには、ズームレンズ１１２の現在の焦点距離に関するズーム焦点距離情報が含まれる。
【００７１】
カメラコントローラ１５３は、リング操作情報により、操作リング１１５が操作されたことを認識すると、レンズ状態データに含まれるズーム焦点距離情報に基づいて、液晶モニタ１６３に、図５（ｃ）に示すように、ステップズーム動作モード用のズーム焦点距離情報表示３１０を表示する（Ｓ５０６）。このズーム焦点距離情報表示３１０により、使用者は、ズームレンズ１１２の現在のズーム焦点距離情報と、ステップズーム動作における停止可能位置（目盛り位置）とを把握することができる。
【００７２】
その後、レンズコントローラ１２０は、操作リング１１５の操作にしたがい、ズームレンズ駆動部１１３に制御信号を送り、ズームレンズ１１２を駆動する（Ｓ５０７）。カメラコントローラ１５３は、操作リング１１５が操作されている間も、定期的にレンズ状態データの要求を行う（Ｓ５０８）。レンズコントローラ１２０は、定期的なレンズ状態データの要求に応答して、レンズ状態データを送信する（Ｓ５０９）。このとき、ズームレンズ１１２が駆動されているため、レンズ状態データに含まれるズーム焦点距離情報が更新されていく。カメラコントローラ１５３はレンズ状態データの応答を受け、更新されたズーム焦点距離情報に基づいて、液晶モニタ１６３のズーム焦点距離情報表示３１０を更新する（Ｓ５１０）。
【００７３】
電動交換レンズ１０１の変倍率が使用者の所望の変倍率に達すると、使用者により操作リング１１５の操作が終了される（Ｓ５１１）。レンズコントローラ１２０は、操作リング１１５の操作終了を検出すると、操作終了の検知時点のズームレンズ１１２の位置情報から、現在のズームレンズ１１２の進行方向において次にズームレンズ１１２を停止させることが可能な停止位置を算出し、その算出した停止位置まで、ズームレンズ１１２を駆動する（Ｓ５１２）。
【００７４】
レンズコントローラ１２０は、カメラコントローラ１５３からの定期的なレンズ状態データ要求（Ｓ５１３）に対して、最終的なズームレンズ１１２の停止位置に対応するズーム焦点距離情報と、操作リング１１５の操作が終了されたことを示すリング操作情報とを含むレンズ状態データを送信する（Ｓ５１４）。
【００７５】
カメラコントローラ１５３は、レンズコントローラ１２０からのレンズ状態データの応答を受けて、液晶モニタ１６３のズーム焦点距離情報表示３１０を更新する（Ｓ５１５）。使用者は、更新されたズーム焦点距離情報表示３１０を確認することで、最終的なズームレンズ１１２の停止位置を把握できる。カメラコントローラ１５３は、ズーム焦点距離情報表示３１０が更新されてから所定時間経過後（Ｓ５１６）、液晶モニタ１６３の表示を、図５（ｃ）に示すズーム焦点距離情報表示３１０を含む表示状態から図５（ａ）に示す通常の表示状態へ戻す（Ｓ５１７）。
【００７６】
２−５．ステップズーム動作モードから通常ズーム動作モードへの切替え
電動交換レンズ１０１のズーム動作モードを、ステップズーム動作モードから通常ズーム動作モードへ遷移させる時の制御について説明する。
【００７７】
図９は、ステップズーム動作モードから通常ズーム動作モードへズーム動作モードを切り替えるときのシーケンスを説明した図である。デジタルカメラ１００の使用者によりカメラボディ１０２のメニュー設定などにおいて、ステップズーム動作モードがオフされると（Ｓ６００）、カメラコントローラ１５３は、電動交換レンズ１０１にステップズーム動作モードの設定解除を通知する（Ｓ６０１）。レンズコントローラ１２０は、カメラコントローラ１５３からステップズーム動作モード設定解除通知を受けると、ズーム動作モードを通常ズーム動作モードへ切り替える（Ｓ６０２）。
【００７８】
３．まとめ
実施の形態１のデジタルカメラ１００の交換レンズ１０１は、ズームレンズ１１２と、ズームレンズを駆動させるズームレンズ駆動部１１３と、ズームレンズ１１２の倍率を変更するためのユーザによる操作を受け付ける操作リング１１５と、操作リング１１５の操作に応じてズームレンズ駆動部１１３を制御するレンズコントローラ１２０とを備える。レンズコントローラ１２０は、ズームレンズ１１２を操作リング１１５の操作に応じた任意の位置に停止可能な通常ズーム動作モード（第一の動作モード）と、ズームレンズ１１２を操作リング１１５の操作に応じて離散的な所定の停止位置に停止可能なステップズーム動作モード（第二の動作モード）のうちのいずれかの動作モードでズームレンズ駆動部１１３を制御する。
【００７９】
ステップズーム動作モードにより、操作リング１１５の停止位置に基づいて予め決められた所望の位置に迅速に且つ正確にズームレンズを停止させることができる。このため、使用者にとって使い勝手の良いズーム倍率設定が可能となる。
【００８０】
他の実施の形態
本発明は、上記実施の形態に限定されず、種々の実施の形態が考えられる。以下、本発明の他の実施の形態について記載する。
【００８１】
上記実施の形態１において、ステップズーム動作モードにおけるズームレンズ１１２の停止可能な位置群の情報は、電動交換レンズ１０１のフラッシュメモリ１２２に予め記憶されていた。しかし、ステップズーム動作モードにおいて停止可能な位置群の情報を、電動交換レンズ１０１の種類毎に、カメラボディ１０２のフラッシュメモリ１５６に予め記憶するようにしてもよい。この場合、カメラコントローラ１５３は、例えばステップＳ３１２及びＳ３１３で取得したレンズデータ（レンズ名称など）に応じて、初期動作において、記憶している停止位置群の中から、装着した交換レンズに対応した停止可能位置を求め、その求めた停止可能位置の情報を電動交換レンズ１０１へ送信する。また、カメラコントローラ１５３は、ステップズーム動作モードに遷移するときに、ズームレンズ１１２を停止させることが可能な停止位置群の情報を電動交換レンズ１０１へ通知しても良い。
【００８２】
ステップズーム動作モードにおいて、ズームレンズ１１２を停止させる位置を、ユーザにより、カメラボディ１０２のメニュー設定（例えば、液晶モニタ１６３に表示されるメニュー画面）で設定できるようにしても良い。この場合、電動交換レンズ１０１がズームレンズ１１２の停止可能な位置群の情報を予めフラッシュメモリ１２２に保持しているとき、初期動作時（例えば、Ｓ３１１及び３１２）又はユーザが停止位置を選択する時に、レンズコントローラ１２０は、カメラコントローラ１５３にズームレンズ１１２の停止可能な位置群を通知する。そして、通知された停止位置群の中から、ステップズーム動作モードにおいて停止する１つ以上の位置をユーザにより選択されるようにする。カメラコントローラ１５３は、ユーザにより選択された停止位置を、レンズコントローラ１２０に通知する。
【００８３】
また、カメラボディ１０２が、ステップズーム動作モードにおいて停止可能な位置群をフラッシュメモリ１５６に予め記憶している場合、カメラボディ１０２のフラッシュメモリ１５６に記憶されている停止位置群の中から、ステップズーム動作モードにおいて停止する１つ以上の位置をユーザにより選択されるようにしても良い。カメラコントローラ１５３は、ユーザにより選択された停止位置をレンズコントローラ１２０に通知する。
【００８４】
上記実施の形態において、レンズコントローラ１２０は、ズームレンズ１１２を実際に停止させた後（Ｓ５１２）に、カメラコントローラ１５３からのレンズ状態データ要求に応答して、ズームレンズ１１２が実際に停止した位置に関する情報をカメラボディ１０２のカメラコントローラ１５３に送信するようにした（Ｓ５１４）。しかしながら次のように構成してもよい。レンズコントローラ１２０は、操作リング１１５の操作終了を検出すると（ステップＳ５１１）、操作終了の検知時のズームレンズ１１２の位置情報から、現在のズームレンズ１１２の進行方向において次にズームレンズ１１２を停止させることが可能な停止位置を算出する。この際に、ズームレンズ１１２が実際に停止する前に、算出した停止位置に関する情報をカメラコントローラ１５３に送信してもよい。これにより、カメラコントローラ１５３は、ズームレンズ１１２が実際に停止する前に、ズームレンズ１１２が停止する予定の位置を認識することができ、また、その予定位置を液晶モニタ１６３に表示すること等によりユーザに通知することができる。
【００８５】
また、通常、レンズコントローラ１２０が操作リング１１５の操作終了を検出すると（Ｓ５１１）、操作終了の検知時のズームレンズ１１２の位置情報に基づき、現在のズームレンズ１１２の進行方向において次にズームレンズ１１２を停止させることが可能な、現在のズームレンズ１１２位置に最も近い停止位置を算出することが望ましい。しかしながら、なんらかの理由により最も近い停止位置には停止できない場合があり得る。そのような場合、レンズコントローラ１２０は、カメラコントローラ１５３に対し、最も近い停止位置には停止できないことを示す情報を、レンズ状態データの応答の際に通知するようにしてもよい。また、この情報と共に、実際に停止できる停止位置を予定位置として通知するようにしてもよい。
【００８６】
上記実施の形態において、レンズコントローラ１２０は、ステップズーム動作モード時、あらかじめ設定された停止位置でのみズームレンズ１１２を停止させるように制御を行う。しかしながら、なんらかの理由によりズームレンズ１１２をあらかじめ設定された停止位置で停止できず、それ以外の位置で停止させた場合には、レンズコントローラ１２０は、あらかじめ設定された停止位置での停止が不可能であることを示す情報をカメラコントローラ１５３に通知するようにしてもよい。なお、この場合にもレンズコントローラ１２０は、カメラコントローラ１５３からのレンズ状態データ要求に応じて、ズームレンズ１１２が実際に停止した位置に関する情報をカメラボディ１０２のカメラコントローラ１５３に送信するようにしてもよい。
【００８７】
上記実施の形態１及び他の実施の形態それぞれに開示した思想は、当業者が適宜組み合わせることができる。
【００８８】
上記実施の形態では撮像装置の一例としてデジタルカメラ１００を例示したが、本発明の思想はデジタルカメラへの適用に限定されない。本発明の思想は、ムービーカメラ、カメラ付き携帯電話などの撮像装置であって、ズーム機能を備えた交換レンズを装着可能な交換レンズ式の撮像装置に適用可能である。
【産業上の利用可能性】
【００８９】
本発明は、デジタルカメラ、ムービーカメラ、カメラ付き携帯電話などの撮像装置であって、ズーム機能を備えた交換レンズを装着可能な交換レンズ式の撮像装置に適用可能である。
【符号の説明】
【００９０】
１００  デジタルカメラ
１０１  電動交換レンズ
１０２  カメラボディ
１１０  フォーカスレンズ
１１１  フォーカスレンズ駆動部
１１２  ズームレンズ
１１３  ズームレンズ駆動部
１１５  操作リング
１１６  絞り
１１７  絞り駆動部
１２０  レンズコントローラ
１２１  ＤＲＡＭ（レンズ側）
１２２  フラッシュメモリ（レンズ側）
１３０  レンズマウント
１４０  ボディマウント
１５０  ＣＭＯＳイメージセンサ
１５１  ＴＧ
１５２  ＡＦＥ
１５３  カメラコントローラ
１５４  電源
１５５  ＤＲＡＭ（ボディ側）
１５６  フラッシュメモリ（ボディ側）
１６０  レリーズ釦
１６２  タッチパネル
１６３  液晶モニタ
１６４  メモリカード
１６５  カードスロット
１７０  カメラ側操作部
２０４  中央釦
２０５  十字釦
【手続補正３】
【補正対象書類名】図面
【補正対象項目名】全図
【補正方法】変更
【補正の内容】
【図１】
2012131794.tif 000012
【図２】
2012131794.tif 000013
【図３】
2012131794.tif 000014
【図４】
2012131794.tif 000015
【図５】
2012131794.tif 000016
【図６】
2012131794.tif 000017
【図７】
2012131794.tif 000018
【図８】
2012131794.tif 000019
【図９】
2012131794.tif 000020
【手続補正書】
【提出日】平成24年8月14日(2012.8.14)
【手続補正１】
【補正対象書類名】特許請求の範囲
【補正対象項目名】全文
【補正方法】変更
【補正の内容】
【特許請求の範囲】
【請求項１】
カメラボディに装着可能な交換レンズであって、
ズームレンズと、
前記ズームレンズを駆動させる駆動部と、
前記ズームレンズの倍率を変更するためのユーザによる操作を受け付ける操作部と、
前記操作部の操作に応じて前記駆動部を制御する制御部と、を備え、
前記制御部は、
前記ズームレンズを前記操作部の操作に応じた任意の位置に停止可能な第一の動作モードと、前記ズームレンズを前記操作部の操作に応じて離散的な所定の停止位置に停止可能な第二の動作モードのうちのいずれかの動作モードで前記駆動部を制御し、
前記第二の動作モードにおける前記所定の停止位置に前記ズームレンズを実際に停止することができない場合、前記カメラボディに、前記ズームレンズを前記所定の停止位置に停止できないことを示す情報を送信する、
交換レンズ。
【請求項２】
前記制御部は、前記カメラボディからの指示にしたがい、前記動作モードを、前記第一の動作モードまたは前記第二の動作モードに設定する、請求項１記載の交換レンズ。
【請求項３】
前記所定の停止位置に関する情報を予め格納する記憶部をさらに備えた、請求項１記載の交換レンズ。
【請求項４】
前記記憶部に予め格納されている前記所定の停止位置に関する情報を前記カメラボディに送信する通信部をさらに備えた、請求項３記載の交換レンズ。
【請求項５】
前記ズームレンズが実際に停止した位置に関する情報を前記カメラボディに送信する通信部をさらに備えた、請求項１記載の交換レンズ。
【請求項６】
前記制御部は、前記第二の動作モードにおける所定の停止位置に前記ズームレンズを停止することができない場合、前記カメラボディに、前記ズームレンズの実際の停止位置に関する情報を送信する、請求項５記載の交換レンズ。
【請求項７】
カメラボディに装着可能な交換レンズであって、
ズームレンズと、
前記ズームレンズを駆動させる駆動部と、
前記ズームレンズの倍率を変更するためのユーザによる操作を受け付ける操作部と、
前記操作部の操作に応じて前記駆動部を制御する制御部と、を備え、
前記制御部は、
前記ズームレンズを前記操作部の操作に応じた任意の位置に停止可能な第一の動作モードと、前記ズームレンズを前記操作部の操作に応じて離散的な所定の停止位置に停止可能な第二の動作モードのうちのいずれかの動作モードで前記駆動部を制御し、
前記所定の停止位置に関する情報を前記カメラボディから受信する、
交換レンズ。
【請求項８】
前記制御部は、前記カメラボディからの指示にしたがい、前記動作モードを、前記第一の動作モードまたは前記第二の動作モードに設定する、請求項７記載の交換レンズ。
【請求項９】
前記所定の停止位置に関する情報を予め格納する記憶部をさらに備えた、請求項７記載の交換レンズ。
【請求項１０】
前記記憶部に予め格納されている前記所定の停止位置に関する情報を前記カメラボディに送信する通信部をさらに備えた、請求項９記載の交換レンズ。
【請求項１１】
前記ズームレンズが実際に停止した位置に関する情報を前記カメラボディに送信する通信部をさらに備えた、請求項７記載の交換レンズ。
【請求項１２】
離散的な所定の停止位置に停止可能なズームレンズを備えた交換レンズを装着可能なカメラボディであって、
少なくとも１つの交換レンズに対する前記所定の停止位置に関する情報を格納する記憶部と、
装着された交換レンズから、その交換レンズの特性情報を取得し、取得した特性情報に基づいて、前記記憶部に格納された情報の中から前記装着された交換レンズについての所定の停止位置に関する情報を求める制御部と、
その求めた停止位置に関する情報を前記交換レンズに送信する通信部と、
を備えた、カメラボディ。
【請求項１３】
交換レンズとカメラボディを含むカメラシステムであって、
前記交換レンズは、
ズームレンズと、
前記ズームレンズを駆動させる駆動部と、
前記ズームレンズの倍率を変更するためのユーザによる操作を受け付ける操作部と、
前記操作部の操作に応じて前記駆動部を制御する制御部と、を備え、
前記制御部は、
前記ズームレンズを前記操作部の操作に応じた任意の位置に停止可能な第一の動作モードと、前記ズームレンズを前記操作部の操作に応じて離散的な所定の停止位置に停止可能な第二の動作モードのうちのいずれかの動作モードで前記駆動部を制御し、
前記第二の動作モードにおける前記所定の停止位置に前記ズームレンズを実際に停止することができない場合、前記カメラボディに、前記ズームレンズを前記所定の停止位置に停止できないことを示す情報を送信する、
カメラシステム。
【請求項１４】
交換レンズとカメラボディを含むカメラシステムであって、
前記交換レンズは、
前記ズームレンズを駆動させる駆動部と、
前記ズームレンズの倍率を変更するためのユーザによる操作を受け付ける操作部と、
前記操作部の操作に応じて前記駆動部を制御する制御部と、を備え、
前記制御部は、
前記ズームレンズを前記操作部の操作に応じた任意の位置に停止可能な第一の動作モードと、前記ズームレンズを前記操作部の操作に応じて離散的な所定の停止位置に停止可能な第二の動作モードのうちのいずれかの動作モードで前記駆動部を制御し、
前記所定の停止位置に関する情報を前記カメラボディから受信する、
カメラシステム。
【手続補正２】
【補正対象書類名】明細書
【補正対象項目名】０００８
【補正方法】変更
【補正の内容】
【０００８】
本発明の第２の態様において、離散的な所定の停止位置に停止可能なズームレンズを備えた交換レンズを装着可能なカメラボディが提供される。カメラボディは、少なくとも１つの交換レンズに対する前記所定の停止位置に関する情報を格納する記憶部と、装着された交換レンズから、その交換レンズの特性情報を取得し、取得した特性情報に基づいて、前記記憶部に格納された情報の中から装着された交換レンズについての所定の停止位置に関する情報を求める制御部と、その求めた停止位置に関する情報を交換レンズに送信する通信部と、を備える。
本発明の第３の態様において、カメラボディに装着可能な交換レンズが提供される。交換レンズは、ズームレンズと、ズームレンズを駆動させる駆動部と、ズームレンズの倍率を変更するためのユーザによる操作を受け付ける操作部と、操作部の操作に応じて駆動部を制御する制御部と、を備える。制御部は、ズームレンズを操作部の操作に応じた任意の位置に停止可能な第一の動作モードと、ズームレンズを操作部の操作に応じて離散的な所定の停止位置に停止可能な第二の動作モードのうちのいずれかの動作モードで駆動部を制御し、所定の停止位置に関する情報をカメラボディから受信する。
【国際調査報告】
2012131794.tif 000021
2012131794.tif 000022
2012131794.tif 000023
2012131794.tif 000024